(57)【要約】本願は、上り復調基準信号の伝送方法及びデバイスを提供し、前記方法は、端末デバイスがネットワークデバイスにより送信された第１の復調基準信号ＤＭＲＳ構成情報を受信することと、端末デバイスがネットワークデバイスにより送信された第２のＤＭＲＳ構成情報を受信することと、端末デバイスが前記第１のＤＭＲＳ構成情報に基づいて、第２のＤＭＲＳ構成情報が示す構成パラメータを確定し、第２のＤＭＲＳ構成情報が示す構成パラメータに基づいて、ＤＭＲＳの伝送パラメータを確定し、伝送パラメータに基づいてＤＭＲＳを伝送することとを含み、第１のＤＭＲＳ構成情報は、ＤＭＲＳシーケンスのタイプを示し、第２のＤＭＲＳ構成情報は、ＤＭＲＳのアンテナポート構成、ＤＭＲＳの物理リソース構成及びＤＭＲＳのシーケンス構成のうちの少なくとも１つを示す。本願における上り復調基準信号の伝送方法によって、端末デバイスは多種のＤＲＭＳシーケンスタイプに同時にサポートすることができる。
2020516143.tif 000002
【特許請求の範囲】
【請求項１】
端末デバイスがネットワークデバイスにより送信された第１の復調基準信号ＤＭＲＳ構成情報を受信することと、
前記端末デバイスが前記ネットワークデバイスにより送信された第２のＤＭＲＳ構成情報を受信することと、
前記端末デバイスが前記第１のＤＭＲＳ構成情報に基づいて、前記第２のＤＭＲＳ構成情報が示す構成パラメータを確定することと、
前記端末デバイスが前記第２のＤＭＲＳ構成情報が示す構成パラメータに基づいて、ＤＭＲＳの伝送パラメータを確定することと、
前記端末デバイスが前記伝送パラメータに基づいて、前記ネットワークデバイスにＤＭＲＳを伝送することとを含み、
前記第１のＤＭＲＳ構成情報は、ＤＭＲＳシーケンスのタイプを示し、
前記第２のＤＭＲＳ構成情報は、ＤＭＲＳのアンテナポート構成、ＤＭＲＳの物理リソース構成、及びＤＭＲＳのシーケンス構成のうちの少なくとも１つ構成パラメータを示す
ことを特徴とする上り復調基準信号の伝送方法。
【請求項２】
前記ＤＭＲＳの伝送パラメータは、前記ＤＭＲＳが占用するアンテナポート、前記ＤＭＲＳが占用する物理リソース、ＤＭＲＳシーケンス、及び前記ＤＭＲＳの送信電力のうちの少なくとも１つを含む
ことを特徴とする請求項１に記載の上り復調基準信号の伝送方法。
【請求項３】
前記第１のＤＭＲＳ情報は、前記ＤＭＲＳシーケンスが擬似ランダムＰＮシーケンス又はＺＣシーケンスであることを示す
ことを特徴とする請求項１又は２に記載の上り復調基準信号の伝送方法。
【請求項４】
前記ＤＭＲＳのアンテナポート構成は、前記ＤＭＲＳが占用するアンテナポート又は前記ＤＭＲＳが占用するアンテナポートの数を含む
ことを特徴とする請求項１〜３のいずれか１項に記載の上り復調基準信号の伝送方法。
【請求項５】
前記端末デバイスが前記第２のＤＭＲＳ構成情報が示す構成パラメータに基づいて、ＤＭＲＳの伝送パラメータを確定することは、
前記端末デバイスが前記第２のＤＭＲＳ構成情報が前記ＤＭＲＳのアンテナポート構成を示すと確定する場合、前記端末デバイスが前記ＤＭＲＳのアンテナポート構成に基づいて前記ＤＭＲＳが占用するアンテナポートを確定すること、及び／又は、
前記端末デバイスが前記第２のＤＭＲＳ構成情報が前記ＤＭＲＳのアンテナポート構成を示すと確定する場合、前記端末デバイスが前記ＤＭＲＳのアンテナポート構成に基づいて前記ＤＭＲＳが占用する物理リソースを確定すること、及び／又は、
前記端末デバイスが前記第２のＤＭＲＳ構成情報が前記ＤＭＲＳのアンテナポート構成を示すと確定する場合、前記端末デバイスが前記ＤＭＲＳのアンテナポート構成に基づいて前記ＤＭＲＳの送信電力を確定すること、及び／又は、
前記端末デバイスが前記第２のＤＭＲＳ構成情報が前記ＤＭＲＳのアンテナポート構成を示すと確定する場合、前記端末デバイスが前記ＤＭＲＳのアンテナポート構成に基づいて前記ＤＭＲＳに使用するシーケンス循環シフト及び／又は直交カバーコードＯＣＣを確定し、
前記端末デバイスが前記ＤＭＲＳに使用するシーケンス循環シフト及び／又はＯＣＣに基づいて、前記ＤＭＲＳシーケンスを生成することを含む
ことを特徴とする請求項１〜４のいずれか１項に記載の上り復調基準信号の伝送方法。
【請求項６】
前記ＤＭＲＳの物理リソース構成は、前記ＤＭＲＳが占用する直交周波数分割多重ＯＦＤＭ符号の数、前記ＤＭＲＳが占用するサブキャリア、及び前記ＤＭＲＳの伝送パターンのうちの少なくとも１つを含む
ことを特徴とする請求項１〜４のいずれか１項に記載の上り復調基準信号の伝送方法。
【請求項７】
前記端末デバイスが前記第２のＤＭＲＳ構成情報が示す構成パラメータに基づいて、ＤＭＲＳの伝送パラメータを確定することは、
前記端末デバイスが前記第２のＤＭＲＳ構成情報が前記ＤＭＲＳの物理リソース構成を示すと確定する場合、前記端末デバイスが前記ＤＭＲＳの物理リソース構成に基づいて、前記ＤＭＲＳが占用する物理リソースを確定すること、及び／又は、
前記端末デバイスが前記第２のＤＭＲＳ構成情報が前記ＤＭＲＳの物理リソース構成を示すと確定する場合、前記端末デバイスが前記ＤＭＲＳの物理リソース構成に基づいて、前記ＤＭＲＳのシーケンスを確定すること、及び／又は、
前記端末デバイスが前記第２のＤＭＲＳ構成情報が前記ＤＭＲＳの物理リソース構成を示すと確定する場合、前記端末デバイスが前記ＤＭＲＳの物理リソース構成に基づいて、前記ＤＭＲＳの送信電力を確定することを含む
ことを特徴とする請求項１〜６のいずれか１項に記載の上り復調基準信号の伝送方法。
【請求項８】
前記ＤＭＲＳのシーケンス構成は、前記ＤＭＲＳに使用するシーケンス循環シフト、前記ＤＭＲＳに使用するＯＣＣ、前記ＤＭＲＳに使用するルートシーケンス識別子ＩＤ、及び前記ＤＭＲＳに使用するスクランブルシーケンスＩＤのうちの少なくとも１つを含む
ことを特徴とする請求項１〜４のいずれか１項に記載の上り復調基準信号の伝送方法。
【請求項９】
前記端末デバイスが前記第２のＤＭＲＳ構成情報が示す構成パラメータに基づいて、ＤＭＲＳの伝送パラメータを確定することは、
前記端末デバイスが前記第２のＤＭＲＳ構成情報が前記ＤＭＲＳのシーケンス構成を示すと確定する場合、前記端末デバイスが前記ＤＭＲＳのシーケンス構成に基づいて、前記ＤＭＲＳシーケンスを生成することを含む
ことを特徴とする請求項８に記載の上り復調基準信号の伝送方法。
【請求項１０】
異なるタイプのＤＭＲＳシーケンスに対応する第２のＤＭＲＳ構成情報に含まれるビット数は、同じである
ことを特徴とする請求項１〜９のいずれか１項に記載の上り復調基準信号の伝送方法。
【請求項１１】
異なるタイプのＤＭＲＳシーケンスに対応する第２のＤＭＲＳ構成情報が示す構成パラメータは、異なる
ことを特徴とする請求項１〜１０のいずれか１項に記載の上り復調基準信号の伝送方法。
【請求項１２】
前記端末デバイスが前記第１のＤＭＲＳ構成情報に基づいて、前記第２のＤＭＲＳ構成情報が示す構成パラメータを確定することは、
前記端末デバイスは、前記第１のＤＭＲＳ構成情報が前記ＤＭＲＳシーケンスがＰＮシーケンスであるこを示すと確定する場合、前記第２のＤＭＲＳ構成情報が前記ＤＭＲＳのアンテナポート構成及び前記ＤＭＲＳのシーケンス構成を示すと確定し、及び／又は、
前記端末デバイスは、前記第１のＤＭＲＳ構成情報が前記ＤＭＲＳシーケンスがＺＣシーケンスであることを示すと確定する場合、前記第２のＤＭＲＳ構成情報が前記ＤＭＲＳのシーケンス構成を示すと確定することを含む
ことを特徴とする請求項１１に記載の上り復調基準信号の伝送方法。
【請求項１３】
前記端末デバイスが前記第１のＤＭＲＳ構成情報に基づいて、前記第２のＤＭＲＳ構成情報が示す構成パラメータを確定することは、
前記端末デバイスは、前記第１のＤＭＲＳ構成情報が前記ＤＭＲＳシーケンスがＰＮシーケンスであることを示すと確定する場合、前記第２のＤＭＲＳ構成情報が前記ＤＭＲＳの物理リソース構成を示すと確定すること、及び／又は、
前記端末デバイスは、前記第１のＤＭＲＳ構成情報が前記ＤＭＲＳシーケンスがＺＣシーケンスであることを示すと確定する場合、前記第２のＤＭＲＳ構成情報が前記ＤＭＲＳのシーケンス構成を示すと確定することを含む
ことを特徴とする請求項１１に記載の上り復調基準信号の伝送方法。
【請求項１４】
前記端末デバイスがネットワークデバイスにより送信された第１の復調基準信号ＤＭＲＳ構成情報を受信することは、
前記端末デバイスが前記ネットワークデバイスからの高位レイヤシグナリングを受信すること、又は、
前記端末デバイスが前記ネットワークデバイスからの下り制御情報ＤＣＩを受信することを含み、
前記高位レイヤシグナリングに前記第１のＤＭＲＳ構成情報が含まれ、
前記ＤＣＩに前記第１のＤＭＲＳ構成情報が含まれる
ことを特徴とする請求項１〜１３のいずれか１項に記載の上り復調基準信号の伝送方法。
【請求項１５】
前記端末デバイスがネットワークデバイスにより送信された第１の復調基準信号ＤＭＲＳ構成情報を受信し、前記端末デバイスが前記ネットワークデバイスにより送信された第２のＤＭＲＳ構成情報を受信することは、
前記端末デバイスが前記ネットワークデバイスからのＤＣＩを受信することを含み、前記ＤＣＩに前記第１のＤＭＲＳ構成情報及び前記第２のＤＭＲＳ構成情報が含まれる
ことを特徴とする請求項１〜１３のいずれか１項に記載の上り復調基準信号の伝送方法。
【請求項１６】
ネットワークデバイスが第１の復調基準信号ＤＭＲＳ構成情報を生成することと、
前記ネットワークデバイスが第２のＤＭＲＳ構成情報を生成することと、
前記ネットワークデバイスが端末デバイスに前記第１のＤＭＲＳ構成情報及び前記第２のＤＭＲＳ構成情報を送信することとを含み、
前記第１のＤＭＲＳ構成情報は、ＤＭＲＳシーケンスのタイプを示し、
前記第２のＤＭＲＳ構成情報は、ＤＭＲＳのアンテナポート構成、ＤＭＲＳの物理リソース構成、及びＤＭＲＳのシーケンス構成のうちの少なくとも１つ構成パラメータを示す
ことを特徴とする上り復調基準信号の伝送方法。
【請求項１７】
前記第１の情報は、前記ＤＭＲＳシーケンスが擬似ランダムＰＮシーケンス又はＺＣシーケンスであることを示す
ことを特徴とする請求項１６に記載の上り復調基準信号の伝送方法。
【請求項１８】
前記ＤＭＲＳのアンテナポート構成は、前記ＤＭＲＳが占用するアンテナポート又は前記ＤＭＲＳが占用するアンテナポートの数を含む
ことを特徴とする請求項１６又は１７に記載の上り復調基準信号の伝送方法。
【請求項１９】
前記ＤＭＲＳの物理リソース構成は、前記ＤＭＲＳが占用する直交周波数分割多重ＯＦＤＭ符号の数、前記ＤＭＲＳが占用するサブキャリア、及び前記ＤＭＲＳの伝送パターンのうちの少なくとも１つを含む
ことを特徴とする請求項１６〜１８のいずれか１項に記載の上り復調基準信号の伝送方法。
【請求項２０】
前記ＤＭＲＳのシーケンス構成は、前記ＤＭＲＳに使用するシーケンス循環シフト、前記ＤＭＲＳに使用する直交カバーコードＯＣＣ、前記ＤＭＲＳに使用するルートシーケンス識別子ＩＤ、及び前記ＤＭＲＳに使用するスクランブルシーケンスＩＤのうちの少なくとも１つを含む
ことを特徴とする請求項１６〜１９のいずれか１項に記載の上り復調基準信号の伝送方法。
【請求項２１】
異なるタイプのＤＭＲＳシーケンスに対応する第２のＤＭＲＳ構成情報に含まれるビット数は、同じである
ことを特徴とする請求項１６〜２０のいずれか１項に記載の上り復調基準信号の伝送方法。
【請求項２２】
異なるタイプのＤＭＲＳシーケンスに対応する第２のＤＭＲＳ構成情報が示す構成パラメータは、異なる
ことを特徴とする請求項１６〜２１のいずれか１項に記載の上り復調基準信号の伝送方法。
【請求項２３】
前記第１のＤＭＲＳ構成情報は、前記ＤＭＲＳシーケンスがＰＮシーケンスであることを示す場合、前記第２のＤＭＲＳ構成情報は、前記ＤＭＲＳのアンテナポート構成及び前記ＤＭＲＳのシーケンス構成を示し、又は、
前記第１のＤＭＲＳ構成情報は、前記ＤＭＲＳシーケンスがＺＣシーケンスであることを示す場合、前記第２のＤＭＲＳ構成情報は、前記ＤＭＲＳのシーケンス構成を示す
ことを特徴とする請求項２２に記載の上り復調基準信号の伝送方法。
【請求項２４】
前記第１のＤＭＲＳ構成情報は、前記ＤＭＲＳシーケンスがＰＮシーケンスであることを示す場合、前記第２のＤＭＲＳ構成情報は、前記ＤＭＲＳの物理リソース構成を示し、及び／又は、
前記第１のＤＭＲＳ構成情報は、前記ＤＭＲＳシーケンスがＺＣシーケンスであることを示す場合、前記第２のＤＭＲＳ構成情報は、前記ＤＭＲＳのシーケンス構成を示す
ことを特徴とする請求項２２に記載の上り復調基準信号の伝送方法。
【請求項２５】
前記ネットワークデバイスが端末デバイスに前記第１のＤＭＲＳ構成情報を送信することは、
前記ネットワークデバイスが前記端末デバイスに高位レイヤシグナリングを送信すること、又は、
前記ネットワークデバイスが前記端末デバイスに下り制御情報ＤＣＩを送信することを含み、
前記高位レイヤシグナリングに前記第１のＤＭＲＳ構成情報が含まれ、
前記ＤＣＩに前記第１のＤＭＲＳ構成情報が含まれる
ことを特徴とする請求項１６〜２４のいずれか１項に記載の上り復調基準信号の伝送方法。
【請求項２６】
前記ネットワークデバイスが端末デバイスに前記第１のＤＭＲＳ構成情報及び前記第２のＤＭＲＳ構成情報を送信することは、
前記ネットワークデバイスが前記端末デバイスにＤＣＩを送信することを含み、前記ＤＣＩに前記第１のＤＭＲＳ構成情報及び前記第２のＤＭＲＳ構成情報が含まれる
ことを特徴とする請求項１６〜２４のいずれか１項に記載の上り復調基準信号の伝送方法。
【請求項２７】
ネットワークデバイスにより送信された第１の復調基準信号ＤＭＲＳ構成情報を受信するように構成される送受信モジュールと、
前記第１のＤＭＲＳ構成情報に基づいて、第２のＤＭＲＳ構成情報が示す構成パラメータを確定するように構成される処理モジュールとを含み、
前記第１のＤＭＲＳ構成情報は、ＤＭＲＳシーケンスのタイプを示し、
前記送受信モジュールは、さらに、前記ネットワークデバイスにより送信された第２のＤＭＲＳ構成情報を受信するように構成され、
前記第２のＤＭＲＳ構成情報は、ＤＭＲＳのアンテナポート構成、ＤＭＲＳの物理リソース構成、及びＤＭＲＳのシーケンス構成のうちの少なくとも１つ構成パラメータを示し、
前記処理モジュールは、さらに、前記第２のＤＭＲＳ構成情報に示す的構成パラメータに基づいて、ＤＭＲＳの伝送パラメータを確定するように構成され、
前記送受信モジュールは、さらに、前記伝送パラメータに基づいて前記ネットワークデバイスにＤＭＲＳを伝送するように構成される
ことを特徴とする端末デバイス。
【請求項２８】
前記ＤＭＲＳの伝送パラメータは、前記ＤＭＲＳが占用するアンテナポート、前記ＤＭＲＳが占用する物理リソース、ＤＭＲＳシーケンス、及び前記ＤＭＲＳの送信電力のうちの少なくとも１つを含む
ことを特徴とする請求項２７に記載の端末デバイス。
【請求項２９】
前記第１のＤＭＲＳ情報は、前記ＤＭＲＳシーケンスが擬似ランダムＰＮシーケンス又はＺＣシーケンスであることを示す
ことを特徴とする請求項２７又は２８に記載の端末デバイス。
【請求項３０】
前記ＤＭＲＳのアンテナポート構成は、前記ＤＭＲＳが占用するアンテナポート又は前記ＤＭＲＳが占用するアンテナポートの数を含む
ことを特徴とする請求項２７〜２９のいずれか１項に記載の端末デバイス。
【請求項３１】
前記処理モジュールは、
前記第２のＤＭＲＳ構成情報が前記ＤＭＲＳのアンテナポート構成を示すと確定する場合、前記ＤＭＲＳのアンテナポート構成に基づいて前記ＤＭＲＳが占用するアンテナポートを確定し、及び／又は、
前記第２のＤＭＲＳ構成情報が前記ＤＭＲＳのアンテナポート構成を示すと確定する場合、前記ＤＭＲＳのアンテナポート構成に基づいて前記ＤＭＲＳが占用する物理リソースを確定し、及び／又は、
前記第２のＤＭＲＳ構成情報が前記ＤＭＲＳのアンテナポート構成を示すと確定する場合、前記ＤＭＲＳのアンテナポート構成に基づいて前記ＤＭＲＳの送信電力を確定し、及び／又は、
前記第２のＤＭＲＳ構成情報が前記ＤＭＲＳのアンテナポート構成を示すと確定する場合、前記ＤＭＲＳのアンテナポート構成に基づいて前記ＤＭＲＳに使用するシーケンス循環シフト及び／又は直交カバーコードＯＣＣを確定し、
前記ＤＭＲＳに使用するシーケンス循環シフト及び／又はＯＣＣに基づいて、前記ＤＭＲＳシーケンスを生成するように構成される
ことを特徴とする請求項２７〜３０のいずれか１項に記載の端末デバイス。
【請求項３２】
前記ＤＭＲＳの物理リソース構成は、前記ＤＭＲＳが占用する直交周波数分割多重ＯＦＤＭ符号の数、前記ＤＭＲＳが占用するサブキャリア、及び前記ＤＭＲＳの伝送パターンのうちの少なくとも１つを含む
ことを特徴とする請求項２７〜３０のいずれか１項に記載の端末デバイス。
【請求項３３】
前記処理モジュールは、
前記第２のＤＭＲＳ構成情報が前記ＤＭＲＳの物理リソース構成を示すと確定する場合、前記ＤＭＲＳの物理リソース構成に基づいて前記ＤＭＲＳが占用する物理リソースを確定し、及び／又は、
前記第２のＤＭＲＳ構成情報が前記ＤＭＲＳの物理リソース構成を示すと確定する場合、前記ＤＭＲＳの物理リソース構成に基づいて前記ＤＭＲＳのシーケンスを確定し、及び／又は、
前記第２のＤＭＲＳ構成情報が前記ＤＭＲＳの物理リソース構成を示すと確定する場合、前記ＤＭＲＳの物理リソース構成に基づいて前記ＤＭＲＳの送信電力を確定するように構成される
ことを特徴とする請求項２７〜３２のいずれか１項に記載の端末デバイス。
【請求項３４】
前記ＤＭＲＳのシーケンス構成は、前記ＤＭＲＳに使用するシーケンス循環シフト、前記ＤＭＲＳに使用するＯＣＣ、前記ＤＭＲＳに使用するルートシーケンス識別子ＩＤ、及び前記ＤＭＲＳに使用するスクランブルシーケンスＩＤのうちの少なくとも１つを含む
ことを特徴とする請求項２７〜３０のいずれか１項に記載の端末デバイス。
【請求項３５】
前記処理モジュールは、
前記第２のＤＭＲＳ構成情報が前記ＤＭＲＳにシーケンス構成を示すと確定する場合、前記ＤＭＲＳのシーケンス構成に基づいて、前記ＤＭＲＳシーケンスを生成するように構成される
ことを特徴とする請求項３４に記載の端末デバイス。
【請求項３６】
異なるタイプのＤＭＲＳシーケンスに対応する第２のＤＭＲＳ構成情報に含まれるビット数は、同じである
ことを特徴とする請求項２７〜３５のいずれか１項に記載の端末デバイス。
【請求項３７】
異なるタイプのＤＭＲＳシーケンスに対応する第２のＤＭＲＳ構成情報が示す構成パラメータは、異なる
ことを特徴とする請求項２７〜３６のいずれか１項に記載の端末デバイス。
【請求項３８】
前記処理モジュールは、
前記第１のＤＭＲＳ構成情報が前記ＤＭＲＳシーケンスがＰＮシーケンスであることを示すと確定する場合、前記第２のＤＭＲＳ構成情報が前記ＤＭＲＳのアンテナポート構成及び前記ＤＭＲＳのシーケンス構成を示すと確定し、及び／又は、
前記第１のＤＭＲＳ構成情報が前記ＤＭＲＳシーケンスがＺＣシーケンスであることを示すと確定する場合、前記第２のＤＭＲＳ構成情報が前記ＤＭＲＳのシーケンス構成を示すと確定するように構成される
ことを特徴とする請求項３７に記載の端末デバイス。
【請求項３９】
前記処理モジュールは、
前記第１のＤＭＲＳ構成情報が前記ＤＭＲＳシーケンスがＰＮシーケンスであることを示すと確定する場合、前記第２のＤＭＲＳ構成情報が前記ＤＭＲＳの物理リソース構成を示すと確定し、及び／又は、
前記第１のＤＭＲＳ構成情報が前記ＤＭＲＳシーケンスがＺＣシーケンスであることを示すと確定する場合、前記第２のＤＭＲＳ構成情報が前記ＤＭＲＳのシーケンス構成を示すと確定するように構成される
ことを特徴とする請求項３７に記載の端末デバイス。
【請求項４０】
前記送受信モジュールは、
前記ネットワークデバイスからの高位レイヤシグナリングを受信し、又は、
前記ネットワークデバイスからの下り制御情報ＤＣＩを受信するように構成され、
前記高位レイヤシグナリングに前記第１のＤＭＲＳ構成情報が含まれ、
前記ＤＣＩに前記第１のＤＭＲＳ構成情報が含まれる
ことを特徴とする請求項２７〜３９のいずれか１項に記載の端末デバイス。
【請求項４１】
前記送受信モジュールは、
前記ネットワークデバイスにより送信されたＤＣＩを受信するように構成され、前記ＤＣＩに前記第１のＤＭＲＳ構成情報及び前記第２のＤＭＲＳ構成情報が含まれる
ことを特徴とする請求項２７〜３９のいずれか１項に記載の端末デバイス。
【請求項４２】
第１の復調基準信号ＤＭＲＳ構成情報を生成するように構成される処理モジュールと、
端末デバイスに前記第１のＤＭＲＳ構成情報及び第２のＤＭＲＳ構成情報を送信するように構成される送受信モジュールとを含み、
前記第１のＤＭＲＳ構成情報は、ＤＭＲＳシーケンスのタイプを示し、
前記処理モジュールは、さらに、第２のＤＭＲＳ構成情報を生成するように構成され、
前記第２のＤＭＲＳ構成情報は、ＤＭＲＳのアンテナポート構成、ＤＭＲＳの物理リソース構成、及びＤＭＲＳのシーケンス構成のうちの少なくとも１つ構成パラメータを示す
ことを特徴とするネットワークデバイス。
【請求項４３】
前記第１の情報は、前記ＤＭＲＳシーケンスが擬似ランダムＰＮシーケンス又はＺＣシーケンスであることを示す
ことを特徴とする請求項４２に記載のネットワークデバイス。
【請求項４４】
前記ＤＭＲＳのアンテナポート構成は、前記ＤＭＲＳが占用するアンテナポート又は前記ＤＭＲＳが占用するアンテナポートの数を含む
ことを特徴とする請求項４２又は４３に記載のネットワークデバイス。
【請求項４５】
前記ＤＭＲＳの物理リソース構成は、前記ＤＭＲＳが占用する直交周波数分割多重ＯＦＤＭ符号の数、前記ＤＭＲＳが占用するサブキャリア、及び前記ＤＭＲＳの伝送パターンのうちの少なくとも１つを含む
ことを特徴とする請求項４２〜４４のいずれか１項に記載のネットワークデバイス。
【請求項４６】
前記ＤＭＲＳのシーケンス構成は、前記ＤＭＲＳに使用するシーケンス循環シフト、前記ＤＭＲＳに使用する直交カバーコードＯＣＣ、前記ＤＭＲＳに使用するルートシーケンス識別子ＩＤ、及び前記ＤＭＲＳに使用するスクランブルシーケンスＩＤのうちの少なくとも１つを含む
ことを特徴とする請求項４２〜４５のいずれか１項に記載のネットワークデバイス。
【請求項４７】
異なるタイプのＤＭＲＳシーケンスに対応する第２のＤＭＲＳ構成情報に含まれるビット数は、同じである
ことを特徴とする請求項４２〜４６のいずれか１項に記載のネットワークデバイス。
【請求項４８】
異なるタイプのＤＭＲＳシーケンスに対応する第２のＤＭＲＳ構成情報が示す構成パラメータは、異なる
ことを特徴とする請求項４２〜４７のいずれか１項に記載のネットワークデバイス。
【請求項４９】
前記第１のＤＭＲＳ構成情報は、前記ＤＭＲＳシーケンスがＰＮシーケンスであることを示す場合、前記第２のＤＭＲＳ構成情報は、前記ＤＭＲＳのアンテナポート構成及び前記ＤＭＲＳのシーケンス構成を示し、又は、
前記第１のＤＭＲＳ構成情報は、前記ＤＭＲＳシーケンスがＺＣシーケンスであることを示す場合、前記第２のＤＭＲＳ構成情報は、前記ＤＭＲＳのシーケンス構成を示す
ことを特徴とする請求項４８に記載のネットワークデバイス。
【請求項５０】
前記第１のＤＭＲＳ構成情報は、前記ＤＭＲＳシーケンスがＰＮシーケンスであることを示す場合、前記第２のＤＭＲＳ構成情報は、前記ＤＭＲＳの物理リソース構成を示し、及び／又は、
前記第１のＤＭＲＳ構成情報は、前記ＤＭＲＳシーケンスがＺＣシーケンスであることを示す場合、前記第２のＤＭＲＳ構成情報は、前記ＤＭＲＳのシーケンス構成を示す
ことを特徴とする請求項４８に記載のネットワークデバイス。
【請求項５１】
前記送受信モジュールは、
前記端末デバイスに高位レイヤシグナリングを送信し、又は、
前記端末デバイスに下り制御情報ＤＣＩを送信するように構成され、
前記高位レイヤシグナリングに前記第１のＤＭＲＳ構成情報が含まれ、
前記ＤＣＩに前記第１のＤＭＲＳ構成情報が含まれる
ことを特徴とする請求項４２〜５０のいずれか１項に記載のネットワークデバイス。
【請求項５２】
前記送受信モジュールは、
前記端末デバイスにＤＣＩを送信するように構成され、前記ＤＣＩに前記第１のＤＭＲＳ構成情報及び前記第２のＤＭＲＳ構成情報が含まれる
ことを特徴とする請求項４２〜５０のいずれか１項に記載のネットワークデバイス。
【発明の詳細な説明】
【技術分野】
【０００１】
本願の実施例は、通信分野に関し、具体的に、上り復調基準信号の伝送方法及びデバイスに関する。
【背景技術】
【０００２】
未来の通信システム(例えば、５ｔｈ Ｇｅｎｅｒａｔｉｏｎ)において、上り送信は、離散フーリエ変換スペクトル拡散の直交周波数分割多重化( Ｆｏｕｒｉｅｒ Ｔｒａｎｓｆｏｒｍ Ｓｐｒｅａｄ Ｏｒｔｈｏｇｏｎａｌ Ｆｒｅｑｕｅｎｃｙ Ｄｉｖｉsion Ｍｕｌｔｉｐｌｅｘｉｎｇ：ＤＦＴ−Ｓ−ＯＦＤＭ )、サイクリックプレフィックス(Ｃｙｃｌｉｃ Ｐｒｅｆｉｘ：ＣＰ )−ＯＦＤＭなどの様々な波形を使用することができる。ＣＰ−ＯＦＤＭ波形を用いた端末デバイスは、同一の波形を用いた端末デバイスと同一のリソースにおいて多重化することができ、ＤＦＴ−Ｓ−ＯＦＤＭ波形を用いた端末デバイスと同一のリソースに多重化することもできる。ＣＰ−ＯＦＤＭ波形を用いた端末デバイスは、２つの多重化シーンがシーケンスに基づく直交伝送に対応したい場合、複数の異なるシーケンスタイプを同時にサポートする必要があり、異なるシーケンスタイプに対応する構成も異なる。
【０００３】
従来の上り復調基準信号の伝送方法では、端末デバイスが多種の復調基準信号(Ｄｅｍｏｄｕｌａｔｉｏｎ Ｒｅｆｅｒｅｎｃｅ Ｓｉｇｎａｌ：ＤＭＲＳ)シーケンスのタイプに同時に対応しているという要求を満たすことができない。端末デバイスが多種のＤＭＲＳシーケンスタイプに同時にサポートする可能で、異なる上り波形を用いる端末デバイス、または同一の上り波形を用いる端末デバイス間でのリソース多重化に対応可能な上り復調基準信号の伝送方法を提供する必要がある。
【発明の概要】
【０００４】
本願は、異なる上り波形を用いる端末デバイス、または同一の上り波形を用いる端末デバイス間でのリソース多重化に対応可能な上り復調基準信号の伝送方法及びデバイスを提供する。
【０００５】
第１の形態は、上り復調基準信号の伝送方法を提供し、端末デバイスがネットワークデバイスにより送信された第１の復調基準信号ＤＭＲＳ構成情報を受信することと、前記端末デバイスが前記ネットワークデバイスにより送信された第２のＤＭＲＳ構成情報を受信することと、前記端末デバイスが前記第１のＤＭＲＳ構成情報に基づいて、前記第２のＤＭＲＳ構成情報が示す構成パラメータを確定することと、前記端末デバイスが前記第２のＤＭＲＳ構成情報が示す構成パラメータに基づいて、ＤＭＲＳの伝送パラメータを確定することと、前記端末デバイスが前記伝送パラメータに基づいて、前記ネットワークデバイスにＤＭＲＳを伝送することとを含み、前記第１のＤＭＲＳ構成情報は、ＤＭＲＳシーケンスのタイプを示し、前記第２のＤＭＲＳ構成情報は、ＤＭＲＳのアンテナポート構成、ＤＭＲＳの物理リソース構成、及びＤＭＲＳのシーケンス構成のうちの少なくとも１つ構成パラメータを示し、。
【０００６】
本願の上り復調基準信号の伝送方法によれば、端末デバイスは、ＤＭＲＳシーケンスのタイプを示す第１のＤＭＲＳ構成情報に基づいてＤＭＲＳシーケンスのタイプを確定し、ＤＭＲＳシーケンスのタイプに基づいて第２のＤＭＲＳ構成情報が示す構成パラメータを確定し、確定した構成パラメータに基づいてＤＭＲＳの伝送パラメータを確定し、そして、ＤＭＲＳの伝送パラメータに基づいてＤＭＲＳを伝送する。これにより、端末デバイスは、第１のＤＭＲＳ構成情報と第２のＤＭＲＳ構成情報に基づいて各ＤＭＲＳシーケンスの伝送パラメータを確定することができるので、多種のＤＲＭＳシーケンスタイプに同時にサポートすることができ、異なる上り波形を用いる端末デバイス間、又は同一の上り波形を用いる端末デバイス間でのリソース多重化に対応することができ、リソースの利用効率を向上させることができる。
【０００７】
第１の形態と結合し、第１の形態の実現可能な方式において、前記ＤＭＲＳの伝送パラメータは、前記ＤＭＲＳが占用するアンテナポート、前記ＤＭＲＳが占用する物理リソース、ＤＭＲＳシーケンス、及び前記ＤＭＲＳの送信電力のうちの少なくとも１つを含む。
【０００８】
第１の形態及び上記の実現方式と結合し、第１の形態の他の実現可能な方式において、前記第１のＤＭＲＳ情報は、前記ＤＭＲＳシーケンスが擬似ランダムＰＮシーケンス又はＺＣシーケンスであることを示す。
【０００９】
第１の形態及び上記の実現方式と結合し、第１の形態の他の実現可能な方式において、前記ＤＭＲＳのアンテナポート構成は、前記ＤＭＲＳが占用するアンテナポート又は前記ＤＭＲＳが占用するアンテナポートの数を含む。
【００１０】
第１の形態及び上記の実現方式と結合し、第１の形態の他の実現可能な方式において、前記端末デバイスが前記第２のＤＭＲＳ構成情報が示す構成パラメータに基づいて、ＤＭＲＳの伝送パラメータを確定することは、
前記端末デバイスが前記第２のＤＭＲＳ構成情報が前記ＤＭＲＳのアンテナポート構成を示すと確定する場合、前記端末デバイスが前記第２のＤＭＲＳ構成情報に応じて前記ＤＭＲＳが占用するアンテナポートを確定すること、及び／又は、
前記端末デバイスが前記第２のＤＭＲＳ構成情報が前記ＤＭＲＳのアンテナポート構成を示すと確定する場合、前記端末デバイスが前記ＤＭＲＳのアンテナポート構成に基づいて前記ＤＭＲＳが占用する物理リソースを確定すること、及び／又は、
前記端末デバイスが前記第２のＤＭＲＳ構成情報が前記ＤＭＲＳのアンテナポート構成を示すと確定する場合、前記端末デバイスが前記ＤＭＲＳのアンテナポート構成に基づいて前記ＤＭＲＳの送信電力を確定すること、及び／又は、
前記端末デバイスが前記第２のＤＭＲＳ構成情報が前記ＤＭＲＳのアンテナポート構成を示すと確定する場合、前記端末デバイスが前記ＤＭＲＳのアンテナポート構成に基づいて前記ＤＭＲＳに使用するシーケンス循環シフト及び／又は直交カバーコードＯＣＣを確定し、
前記端末デバイスが前記ＤＭＲＳに使用するシーケンス循環シフト及び／又はＯＣＣに基づいて、前記ＤＭＲＳシーケンスを生成することを含む。
【００１１】
第１の形態及び上記の実現方式と結合し、第１の形態の他の実現可能な方式において、前記ＤＭＲＳの物理リソース構成は、前記ＤＭＲＳが占用する直交周波数分割多重ＯＦＤＭ符号の数、前記ＤＭＲＳが占用するサブキャリア、及び前記ＤＭＲＳの伝送パターンのうちの少なくとも１つを含む。
【００１２】
第１の形態及び上記の実現方式と結合し、第１の形態の他の実現可能な方式において、前記端末デバイスが前記第２のＤＭＲＳ構成情報が示す構成パラメータに基づいて、ＤＭＲＳの伝送パラメータを確定することは、
前記端末デバイスが前記第２のＤＭＲＳ構成情報が前記ＤＭＲＳの物理リソース構成を示すと確定する場合、前記端末デバイスが前記ＤＭＲＳの物理リソース構成に基づいて、前記ＤＭＲＳが占用する物理リソースを確定すること、及び／又は、
前記端末デバイスが前記第２のＤＭＲＳ構成情報が前記ＤＭＲＳの物理リソース構成を示すと確定する場合、前記端末デバイスが前記ＤＭＲＳの物理リソース構成に基づいて、前記ＤＭＲＳのシーケンスを確定すること、及び／又は、
前記端末デバイスが前記第２のＤＭＲＳ構成情報が前記ＤＭＲＳの物理リソース構成を示すと確定する場合、前記端末デバイスが前記ＤＭＲＳの物理リソース構成に基づいて、前記ＤＭＲＳの送信電力を確定することを含む。
【００１３】
第１の形態及び上記の実現方式と結合し、第１の形態の他の実現可能な方式において、前記ＤＭＲＳのシーケンス構成は、前記ＤＭＲＳに使用するシーケンス循環シフト、前記ＤＭＲＳに使用するＯＣＣ、前記ＤＭＲＳに使用するルートシーケンス識別子ＩＤ、及び前記ＤＭＲＳに使用するスクランブルシーケンスＩＤのうちの少なくとも１つを含む。
【００１４】
第１の形態及び上記の実現方式と結合し、第１の形態の他の実現可能な方式において、前記端末デバイスが前記第２のＤＭＲＳ構成情報が示す構成パラメータに基づいて、ＤＭＲＳの伝送パラメータを確定することは、
前記端末デバイスが前記第２のＤＭＲＳ構成情報が前記ＤＭＲＳのシーケンス構成を示すと確定する場合、前記端末デバイスが前記ＤＭＲＳのシーケンス構成に基づいて、前記ＤＭＲＳシーケンスを生成することを含む。
【００１５】
第１の形態及び上記の実現方式と結合し、第１の形態の他の実現可能な方式において、異なるタイプのＤＭＲＳシーケンスに対応する第２のＤＭＲＳ構成情報に含まれるビット数は、同じである。
【００１６】
第１の形態及び上記の実現方式と結合し、第１の形態の他の実現可能な方式において、異なるタイプのＤＭＲＳシーケンスに対応する第２のＤＭＲＳ構成情報が示す構成パラメータは、異なる。
【００１７】
第１の形態及び上記の実現方式と結合し、第１の形態の他の実現可能な方式において、前記端末デバイスが前記第１のＤＭＲＳ構成情報に基づいて、前記第２のＤＭＲＳ構成情報が示す構成パラメータを確定することは、
前記端末デバイスは、前記第１のＤＭＲＳ構成情報が前記ＤＭＲＳシーケンスがＰＮシーケンスであるこを示すと確定する場合、前記第２のＤＭＲＳ構成情報が前記ＤＭＲＳのアンテナポート構成及び前記ＤＭＲＳのシーケンス構成を示すと確定し、及び／又は、
前記端末デバイスは、前記第１のＤＭＲＳ構成情報が前記ＤＭＲＳシーケンスがＺＣシーケンスであることを示すと確定する場合、前記第２のＤＭＲＳ構成情報が前記ＤＭＲＳのシーケンス構成を示すと確定することを含む。
【００１８】
第１の形態及び上記の実現方式と結合し、第１の形態の他の実現可能な方式において、前記端末デバイスが前記第１のＤＭＲＳ構成情報に基づいて、前記第２のＤＭＲＳ構成情報が示す構成パラメータを確定することは、
前記端末デバイスは、前記第１のＤＭＲＳ構成情報が前記ＤＭＲＳシーケンスがＰＮシーケンスであることを示すと確定する場合、前記第２のＤＭＲＳ構成情報が前記ＤＭＲＳの物理リソース構成を示すと確定すること、及び／又は、
前記端末デバイスは、前記第１のＤＭＲＳ構成情報が前記ＤＭＲＳシーケンスがＺＣシーケンスであることを示すと確定する場合、前記第２のＤＭＲＳ構成情報が前記ＤＭＲＳのシーケンス構成を示すと確定することを含む。
【００１９】
第１の形態及び上記の実現方式と結合し、第１の形態の他の実現可能な方式において、前記端末デバイスがネットワークデバイスにより送信された第１の復調基準信号ＤＭＲＳ構成情報を受信することは、
前記端末デバイスが前記ネットワークデバイスからの高位レイヤシグナリングを受信し、前記高位レイヤシグナリングに前記第１のＤＭＲＳ構成情報が含まれ、又は、
前記端末デバイスが前記ネットワークデバイスからの下り制御情報ＤＣＩを受信し、前記ＤＣＩに前記第１のＤＭＲＳ構成情報が含まれることを含む。
【００２０】
第１の形態及び上記の実現方式と結合し、第１の形態の他の実現可能な方式において、前記端末デバイスがネットワークデバイスにより送信された第１の復調基準信号ＤＭＲＳ構成情報を受信し、前記端末デバイスが前記ネットワークデバイスにより送信された第２のＤＭＲＳ構成情報を受信することは、
前記端末デバイスが前記ネットワークデバイスからのＤＣＩを受信することを含み、前記ＤＣＩに前記第１のＤＭＲＳ構成情報及び前記第２のＤＭＲＳ構成情報が含まれる。
【００２１】
第２の形態は、上り復調基準信号の伝送方法を提供し、ネットワークデバイスが第１の復調基準信号ＤＭＲＳ構成情報を生成することと、前記ネットワークデバイスが第２のＤＭＲＳ構成情報を生成することと、前記ネットワークデバイスが端末デバイスに前記第１のＤＭＲＳ構成情報及び前記第２のＤＭＲＳ構成情報を送信することとを含み、前記第１のＤＭＲＳ構成情報は、ＤＭＲＳシーケンスのタイプを示し、前記第２のＤＭＲＳ構成情報は、ＤＭＲＳのアンテナポート構成、ＤＭＲＳの物理リソース構成、及びＤＭＲＳのシーケンス構成のうちの少なくとも１つ構成パラメータを示し、。
【００２２】
本願の上り復調基準信号の伝送方法によれば、ネットワークデバイスは、ＤＭＲＳシーケンスのタイプを示す第１のＤＭＲＳ構成情報及び多種の構成パラメータを示す第２のＤＭＲＳ構成情報を端末デバイスに送信する。これにより、端末デバイスは、第１のＤＭＲＳ構成情報と第２のＤＭＲＳ構成情報に基づいて各ＤＭＲＳシーケンスの伝送パラメータを確定することができるので、多種のＤＲＭＳシーケンスタイプに同時にサポートすることができ、異なる上り波形を用いる端末デバイス間、又は同一の上り波形を用いる端末デバイス間でのリソース多重化に対応することができ、リソースの利用効率を向上させることができる。
【００２３】
第２の形態と結合し、第２の形態の実現可能な方式において、前記第１の情報は、前記ＤＭＲＳシーケンスが擬似ランダムＰＮシーケンス又はＺＣシーケンスであることを示す。
【００２４】
第２の形態及び上記の実現方式と結合し、第２の形態の他の実現可能な方式において、前記ＤＭＲＳのアンテナポート構成は、前記ＤＭＲＳが占用するアンテナポート又は前記ＤＭＲＳが占用するアンテナポートの数を含む。
【００２５】
第２の形態及び上記の実現方式と結合し、第２の形態の他の実現可能な方式において、前記ＤＭＲＳの物理リソース構成は、前記ＤＭＲＳが占用する直交周波数分割多重ＯＦＤＭ符号の数、前記ＤＭＲＳが占用するサブキャリア、及び前記ＤＭＲＳの伝送パターンのうちの少なくとも１つを含む。
【００２６】
第２の形態及び上記の実現方式と結合し、第２の形態の他の実現可能な方式において、前記ＤＭＲＳのシーケンス構成は、前記ＤＭＲＳに使用するシーケンス循環シフト、前記ＤＭＲＳに使用する直交カバーコードＯＣＣ、前記ＤＭＲＳに使用するルートシーケンス識別子ＩＤ、及び前記ＤＭＲＳに使用するスクランブルシーケンスＩＤのうちの少なくとも１つを含む。
【００２７】
第２の形態及び上記の実現方式と結合し、第２の形態の他の実現可能な方式において、異なるタイプのＤＭＲＳシーケンスに対応する第２のＤＭＲＳ構成情報に含まれるビット数は、同じである。
【００２８】
第２の形態及び上記の実現方式と結合し、第２の形態の他の実現可能な方式において、異なるタイプのＤＭＲＳシーケンスに対応する第２のＤＭＲＳ構成情報が示す構成パラメータは、異なる。
【００２９】
第２の形態及び上記の実現方式と結合し、第２の形態の他の実現可能な方式において、前記第１のＤＭＲＳ構成情報は、前記ＤＭＲＳシーケンスがＰＮシーケンスであることを示す場合、前記第２のＤＭＲＳ構成情報は、前記ＤＭＲＳのアンテナポート構成及び前記ＤＭＲＳのシーケンス構成を示し、又は、
前記第１のＤＭＲＳ構成情報は、前記ＤＭＲＳシーケンスがＺＣシーケンスであることを示す場合、前記第２のＤＭＲＳ構成情報は、前記ＤＭＲＳのシーケンス構成を示す。
【００３０】
第２の形態及び上記の実現方式と結合し、第２の形態の他の実現可能な方式において、前記第１のＤＭＲＳ構成情報は、前記ＤＭＲＳシーケンスがＰＮシーケンスであることを示す場合、前記第２のＤＭＲＳ構成情報は、前記ＤＭＲＳの物理リソース構成を示し、及び／又は、
前記第１のＤＭＲＳ構成情報は、前記ＤＭＲＳシーケンスがＺＣシーケンスであることを示す場合、前記第２のＤＭＲＳ構成情報は、前記ＤＭＲＳのシーケンス構成を示す。
【００３１】
第２の形態及び上記の実現方式と結合し、第２の形態の他の実現可能な方式において、前記ネットワークデバイスが端末デバイスに前記第１のＤＭＲＳ構成情報を送信することは、
前記ネットワークデバイスが前記端末デバイスに高位レイヤシグナリングを送信し、前記高位レイヤシグナリングに前記第１のＤＭＲＳ構成情報が含まれ、又は、
前記ネットワークデバイスが前記端末デバイスに下り制御情報ＤＣＩを送信し、前記ＤＣＩに前記第１のＤＭＲＳ構成情報が含まれることを含む。
【００３２】
第２の形態及び上記の実現方式と結合し、第２の形態の他の実現可能な方式において、前記ネットワークデバイスが端末デバイスに前記第１のＤＭＲＳ構成情報及び前記第２のＤＭＲＳ構成情報を送信することは、
前記ネットワークデバイスが前記端末デバイスにＤＣＩを送信することを含み、前記ＤＣＩに前記第１のＤＭＲＳ構成情報及び前記第２のＤＭＲＳ構成情報が含まれる。
【００３３】
第３の形態は、上記の第１の形態又は第１の形態の任意の実現方式の方法を実行する端末デバイスを提供する。具体的に、前記端末デバイスは、上記の第１の形態又は第１の形態の任意の実現方式の方法を実行するように構成される機能モジュールを含む。
【００３４】
第４の形態は、上記の第２の形態又は第２の形態の任意の実現方式の方法を実行するネットワークデバイスを提供する。具体的に、前記ネットワークデバイスは、上記の第２の形態又は第２の形態の任意の実現方式の方法を実行するように構成される機能モジュールを含む。
【００３５】
第５の形態は、プロセッサと、メモリと、送受信機とを含む端末デバイスを提供する。プロセッサ、メモリ、および送受信機は、内部接続経路を介して互いに通信し、制御信号および/またはデータ信号を通信して、端末デバイスは、上記の第１の形態または第１の形態の可能な方法を実行させる。
【００３６】
第６の形態は、プロセッサと、メモリと、送受信機とを含むネットワークデバイスを提供する。プロセッサ、メモリ、および送受信機は、内部接続経路を介して互いに通信し、制御信号および/またはデータ信号を通信して、ネットワークデバイスは、上記の第２の形態または第２の形態の可能な方法を実行させる。
【００３７】
第７の形態は、上記の第１の形態または第１の形態の任意の可能な方式を実行するための命令を含むコンピュータプログラムを記憶するためのコンピュータ可読媒体を提供する。
【００３８】
第８の形態は、上記の第２の形態または第２の形態の任意の可能な方式を実行するための命令を含むコンピュータプログラムを記憶するためのコンピュータ可読媒体を提供する。
【図面の簡単な説明】
【００３９】
【図１】本願の実施例における上り復調基準信号の伝送方法のフローチャートである。
【図２】本願の他の実施例における上り復調基準信号の伝送方法のフローチャートである。
【図３】本願の実施例における端末デバイスのブロック図である。
【図４】本願の実施例におけるネットワークデバイスのブロック図である。
【図５】本願の他の実施例における端末デバイスのブロック図である。
【図６】本願の他の実施例におけるネットワークデバイスのブロック図である。
【発明を実施するための形態】
【００４０】
以下、本願の実施例における技術的解決策を、本願の実施例における添付図面と併せて、明確かつ完全に説明する。
【００４１】
本願の実施例の技術的解決策は、例えば、全地球移動通信( Ｇｌｏｂａｌ Ｓｙｓｔｅｍ ｏｆ Ｍｏｂｉｌｅ ｃｏｍｍｕｎｉｃａｔｉｏｎ：ＧＳＭ )システム、符号分割多元接続( Ｃｏｄｅ Ｄｉｖｉｓｉｏｎ Ｍｕｌｔｉｐｌｅ Ａｃｃｅｓｓ：ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ：ＷＣＤＭＡ )システム、汎用パケット無線サービス( Ｇｅｎｅｒａｌ Ｐａｃｋｅｔ Ｒａｄｉｏ Ｓｅｒｖｉｃｅ：ＧＰＲＳ )、ロングタームエボリューション( Ｌｏｎｇ Ｔｅｒｍ Ｅｖｏｌｕｔｉｏｎ：ＬＴＥ )システム、ＬＴＥ周波数分割複信( Ｆｒｅｑｕｅｎｃｙ Ｄｉｖｉｓｉｏｎ Ｄｕｐｌｅｘ：ＦＤＤ )システム、ＬＴＥ時分割複信( Ｔｉｍｅ Ｄｉｖｉｓｉｏｎ Ｄｕｐｌｅｘ：ＴＤＤ )、汎用移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ：ＵＭＴＳ )又は全地球相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ：ＷｉＭＡＸ )通信システム、５Ｇシステム、又は新規無線( Ｎｅｗ Ｒａｄｉｏ：ＮＲ )システムなどの様々な通信システムに適用可能であることが理解されるべきである。
【００４２】
本願の実施例において、端末デバイスは、移動局( Ｍｏｂｉｌｅ Ｓｔａｔｉｏｎ：ＭＳ )、モバイル端末( Ｍｏｂｉｌｅ Ｔｅｒｍｉｎａｌ )、モバイル電話( Ｍｏｂｉｌｅ Ｔｅｌｅｐｈｏｎｅ )、ユーザ装置( Ｕｓｅｒ Ｅｑｕｉｐｍｅｎｔ：ＵＥ )、ハンドセット及び携帯機器( ｐｏｒｔａｂｌｅ ｅｑｕｉｐｍｅｎｔ )、車両等を含むことができるが、これらに限定されず、無線アクセスネットワーク( Ｒａｄｉｏ Ａｃｃｅｓｓ Ｎｅｔｗｏｒｋ：ＲＡＮ )を介して１つ以上のコアネットワークと通信することができ、例えば、端末デバイスは、携帯電話(又は「セルラ」電話と呼ばれる)、無線通信機能を有するコンピュータ等であり得、端末デバイスは、携帯型、ポケット型、ハンドセット型、コンピュータ内蔵型、又は車載型のモバイル装置であり得る。
【００４３】
本願の実施例に係るネットワークデバイスは、無線アクセスネットワークに構成され、端末デバイスに無線通信機能を提供するデバイスである。ネットワークデバイスは、様々な形態のマクロ基地局、マイクロ基地局、中継局、アクセスポイントなどを含み得る基地局であり得る。異なる無線アクセス技術を採用するシステムでは、基地局機能を有する機器の名称が異なる場合がある。例えば、ＬＴＥネットワークではＥｖｏｌｖｅｄノードＢ ( Ｅｖｏｌｖｅｄ ＮｏｄｅＢ、ｅＮＢ又はｅＮｏｄｅＢ )と呼ばれ、第３世代( ３ ｒｄ Ｇｅｎｅｒａｔｉｏｎ、３Ｇ )ネットワークではノードＢ（Ｎｏｄｅ Ｂ）と呼ばれる、などである。
【００４４】
図１は本願の実施例における上り復調基準信号の伝送方法を示す。図１に示すように、方法１００は、Ｓ１１０〜Ｓ１５０を含む。
【００４５】
Ｓ１１０において、端末デバイスがネットワークデバイスにより送信された第１の復調基準信号ＤＭＲＳ構成情報を受信し、前記第１のＤＭＲＳ構成情報は、ＤＭＲＳシーケンスのタイプを示し、
Ｓ１２０において、前記端末デバイスが前記ネットワークデバイスにより送信された第２のＤＭＲＳ構成情報を受信し、前記第２のＤＭＲＳ構成情報は、ＤＭＲＳのアンテナポート構成、ＤＭＲＳの物理リソース構成、及びＤＭＲＳのシーケンス構成のうちの少なくとも１つ構成パラメータを示し、
Ｓ１３０において、前記端末デバイスが前記第１のＤＭＲＳ構成情報に基づいて、前記第２のＤＭＲＳ構成情報が示す構成パラメータを確定し、
Ｓ１４０において、前記端末デバイスが前記第２のＤＭＲＳ構成情報が示す構成パラメータに基づいて、ＤＭＲＳの伝送パラメータを確定し、
Ｓ１５０において、前記端末デバイスが前記伝送パラメータに基づいて、前記ネットワークデバイスにＤＭＲＳを伝送する。
【００４６】
本願の上り復調基準信号の伝送方法によれば、端末デバイスは、ＤＭＲＳシーケンスのタイプを示す第１のＤＭＲＳ構成情報に基づいてＤＭＲＳシーケンスのタイプを確定し、ＤＭＲＳシーケンスのタイプに基づいて第２のＤＭＲＳ構成情報が示す構成パラメータを確定し、確定した構成パラメータに基づいてＤＭＲＳの伝送パラメータを確定し、そして、ＤＭＲＳの伝送パラメータに基づいてＤＭＲＳを伝送する。これにより、端末デバイスは、第１のＤＭＲＳ構成情報と第２のＤＭＲＳ構成情報に基づいて各ＤＭＲＳシーケンスの伝送パラメータを確定することができるので、多種のＤＲＭＳシーケンスタイプに同時にサポートすることができ、異なる上り波形を用いる端末デバイス間、又は同一の上り波形を用いる端末デバイス間でのリソース多重に対応することができ、リソースの利用効率を向上させることができる。
【００４７】
なお、Ｓ１１０とＳ１２０は、２つの異なる受信ステップであってもよいし、同一の受信ステップであってもよい。ここで、Ｓ１１０及びＳ１２０が同一のステップであることは、第１のＤＭＲＳ構成情報及び第２のＤＭＲＳ構成情報が同一の情報、例えば、同一の下り制御情報( Ｄｏｗｎｌｉｎｋ Ｃｏｎｔｒｏｌ Ｉｎｆｏｒｍａｔｉｏｎ：ＤＣＩ )に搬送されることができる。
【００４８】
任意選択で、Ｓ１１０において、第１のＤＭＲＳ構成情報は、ＤＭＲＳシーケンスが１つのターゲットシーケンスであることを示し、前記ターゲットシーケンスは、擬似ランダム（Ｐｓｅｕｄｏ Ｎｏｉｓｅ：ＰＮ）及びＺａｄｏｆｆ−Ｃｈｕ（ＺＣ）シーケンスを少なくとも含む。
【００４９】
任意選択で、Ｓ１２０において、前記ＤＭＲＳのアンテナポート構成は、前記ＤＭＲＳが占用するアンテナポート又は前記ＤＭＲＳが占用するアンテナポートの数を含む。及び／又は、前記ＤＭＲＳの物理リソース構成は、前記ＤＭＲＳが占用する直交周波数分割多重ＯＦＤＭ符号の数、前記ＤＭＲＳが占用するサブキャリア（例えば、奇数または偶数のサブキャリア）及び前記ＤＭＲＳの伝送パターン（Ｐａｔｔｅｒｎ）の少なくとも１つを含み、端末デバイスは、ネットワークデバイスといくつかの伝送Ｐａｔｔｅｒｎを予め約定し、そして、端末デバイスは、第２のＤＭＲＳ構成情報に基づいて、使用するＤＭＲＳの伝送Ｐａｔｔｅｒｎを確定してもよい。及び／又は、前記ＤＭＲＳのシーケンス構成は、前記ＤＭＲＳに使用するシーケンス循環シフト、前記ＤＭＲＳに使用する直交カバーコード（Ｏｒｔｈｏｇｏｎａｌ Ｃｏｖｅｒ Ｃｏｄｅ：ＯＣＣ）、前記ＤＭＲＳに使用するルートシーケンス識別子（Ｉｄｅｎｔｉｆｉｃａｔｉｏｎ：ＩＤ）、及び前記ＤＭＲＳに使用するスクランブルシーケンスＩＤのうちの少なくとも１つを含む。
【００５０】
任意選択で、Ｓ１４０において、端末デバイスが第２のＤＭＲＳ構成情報にＤＭＲＳのアンテナポート構成を示すと確定する場合、端末デバイスがＤＭＲＳのアンテナポート構成に基づいてＤＭＲＳが占用するアンテナポートを確定する。
【００５１】
任意選択で、Ｓ１４０において、端末デバイスが第２のＤＭＲＳ構成情報がＤＭＲＳのアンテナポート構成を示すと確定する場合、端末デバイスがＤＭＲＳのアンテナポート構成に基づいてＤＭＲＳが占用する物理リソースを確定する。例えば、ＤＭＲＳのアンテナポート構成はアンテナポート数である場合、端末デバイスは、第２のＤＭＲＳ構成情報がＤＭＲＳが占用するアンテナポート数が２以下であることを示す場合、ＤＭＲＳが伝送帯域幅において各物理リソースブロック( Ｐｈｙｓｉｃａｌ Ｒｅｓｏｕｒｃｅ Ｂｌｏｃｋ：ＰＲＢ )の奇数サブキャリアを占用すると確定し、第２のＤＭＲＳ構成情報がＤＭＲＳが占用するアンテナポート数が２より大きいことを示す場合、ＤＭＲＳが伝送帯域幅において全てのサブキャリアを占用すると確定する。具体的に、ネットワークデバイスと端末デバイスは、ＤＭＲＳが占用するアンテナポート数と占用する物理リソースの対応関係を約定することができ、ネットワークデバイスは、シグナリングにより端末デバイスにＤＭＲＳが占用するアンテナポート数と占用する物理リソースの対応関係を構成してもよい。
【００５２】
選択可能で、Ｓ１４０において、端末デバイスは、第２のＤＭＲＳ構成情報がＤＭＲＳのアンテナポート構成を示すと確定した場合、ＤＭＲＳのアンテナポート構成に応じてＤＭＲＳの送信電力を確定する。例えば、ＤＭＲＳのアンテナポート構成は、ＤＭＲＳが占用するアンテナポートである場合、ネットワークデバイスと端末デバイスは、アンテナポートと送信電力の対応関係を予め約定され、端末デバイスは、第２のＤＭＲＳ構成情報が指示するアンテナポートと上記の対応関係から、占用するアンテナポートに対応する送信電力を確定することができる。あるいはＤＭＲＳのアンテナポート構成は、ＤＭＲＳが占用するアンテナポート数である場合、ネットワークデバイスと端末デバイスが予めアンテナポート数と送信電力の対応関係を定めておき、端末デバイスは、第２のＤＭＲＳ構成情報が示すアンテナポート数と前記対応関係から、必要な送信電力を確定するようにしてもよい。なお、ネットワークデバイスは、上述したアンテナポート数と送信電力との対応関係、およびアンテナポート数と送信電力との対応関係を、シグナリングにより端末デバイスに通知してもよい。
【００５３】
選択可能で、Ｓ１４０において、端末デバイスは、第２のＤＭＲＳ構成情報がＤＭＲＳのアンテナポート構成を示すと確定した場合、ＤＭＲＳＤＭＲＳのアンテナポート構成に応じてＤＭＲＳが使用するシーケンス循環シフト及び/又はＯＣＣを確定し、ＤＭＲＳが使用するシーケンス循環シフト及び/又はＯＣＣに応じてＤＭＲＳシーケンスを生成する。例えば、ＤＭＲＳのアンテナポート構成は、ＤＭＲＳが占用するアンテナポートである場合、異なるアンテナポートは、異なるシーケンス循環シフト及び/又はＯＣＣに対応する。例えば、アンテナポートが４つあり、それぞれの番号が０、１、２、３であると仮定し、端末デバイスは、第２のＤＭＲＳ構成情報がＤＭＲＳが占用するアンテナポートが０番のアンテナポートであることを示す場合、ＤＭＲＳが使用するシーケンス循環シフトを３として確定し、第２のＤＭＲＳ構成情報がＤＭＲＳが占用するアンテナポートが１番のアンテナポートであることを示す場合、ＤＭＲＳが使用するシーケンス循環シフトを１として確定する。具体的には、ネットワークデバイスと端末デバイスは、ＤＭＲＳが占用するアンテナポートと使用するシーケンス循環シフトとの対応関係を約定し、ネットワークデバイスは、シグナリングにより端末デバイスにＤＭＲＳが占用するアンテナポートと採用するシーケンス循環シフトとの対応関係を構成してもよい。
【００５４】
任意選択で、Ｓ１４０において、端末デバイスは、第２のＤＭＲＳ構成情報がＤＭＲＳのシーケンス構成を示すと確定した場合、ＤＭＲＳのシーケンス構成に従ってＤＭＲＳシーケンスを生成する。例えば、端末デバイスは、第２のＤＭＲＳ構成情報が、ＤＭＲＳが使用するシーケンス循環シフト、ＤＭＲＳが採用するＯＣＣ、又はＤＭＲＳが使用するルートシーケンスＩＤの少なくとも１つを示す場合、第２のＤＭＲＳ構成情報が示すシーケンス循環シフト、ＯＣＣ、又はルートシーケンスＩＤに従ってＤＭＲＳシーケンスを生成する。
【００５５】
任意選択で、Ｓ１４０において、端末デバイスは、第２のＤＭＲＳ構成情報がＤＭＲＳの物理リソース構成を示すと確定する場合、ＤＭＲＳの物理リソース構成に応じてＤＭＲＳが占用する物理リソースを確定する。 
任意選択で、Ｓ１４０において、端末デバイスは、第２のＤＭＲＳ構成情報がＤＭＲＳの物理リソース構成を示すと確定した場合、ＤＭＲＳの物理リソース構成に従ってＤＭＲＳのシーケンスを確定する。例えば、ＤＭＲＳの物理リソース構成は、ＤＭＲＳが占用するＯＤＦＭシンボル、又はＤＭＲＳの物理リソース構成は、ＤＭＲＳが占用するサブキャリアである。例えば、異なるＯＦＤＭシンボルに異なるＤＭＲＳシーケンスを用い、ネットワークデバイスと端末デバイスは、ＯＦＤＭシンボルとＤＭＲＳシーケンスの対応関係を予め約定しておき、端末デバイスは、第２のＤＭＲＳ構成情報が示すＯＦＤＭシンボルと上記対応関係からＤＭＲＳシーケンスを確定してもよい。
【００５６】
任意選択で、Ｓ１４０において、前記端末デバイスは、前記第２のＤＭＲＳ構成情報が前記ＤＭＲＳの物理リソース構成を示すと確定する場合、前記ＤＭＲＳの物理リソース構成に応じて前記ＤＭＲＳの送信電力を確定する。例えば、ＤＭＲＳの物理リソース構成は、ＤＭＲＳによって占用されるサブキャリアである。ＤＭＲＳが占用するサブキャリア数が異なる分、ＤＭＲＳの送信電力が異なる。ネットワークデバイスと端末デバイスは、サブキャリア数と送信電力の対応関係を予め定めておき、ネットワークデバイスは、シグナリングにより、サブキャリア数と送信電力の対応関係を端末デバイスに通知するようにしてもよい。
【００５７】
任意選択で、Ｓ１５０において、ＤＭＲＳの伝送パラメータは、ＤＭＲＳが占用するアンテナポート、ＤＭＲＳが占用する物理リソース、ＤＭＲＳシーケンスのうち少なくとも１つを含む。端末デバイスは、ＤＭＲＳが占用する物理リソース上で、確定したアンテナポートと各アンテナポートのＤＭＲＳシーケンスを用いて、ＤＭＲＳ信号と上りデータをネットワークデバイスに送信する。
【００５８】
本願の実施例において、任意選択で、異なる種類のＤＭＲＳシーケンスに対応する第２のＤＭＲＳ構成情報に含まれるビット数は、同一である。例えば、第１のＤＭＲＳ構成情報は、ＤＭＲＳシーケンスがＰＮシーケンスであることを示す場合、第２のＤＭＲＳ構成情報はＭビット( Ｍは１以上の正の整数)を含み、第１のＤＭＲＳ構成情報がＤＭＲＳシーケンスがＺＣシーケンスであることを示す場合、第２のＤＭＲＳ構成情報は依然としてＭビットを含む。
【００５９】
さらに、異なるタイプのＤＭＲＳシーケンスに対応する第２のＤＭＲＳ構成情報によって示される構成パラメータは異なる。すなわち、異なるタイプのＤＭＲＳシーケンス対して、第２のＤＭＲＳ構成情報はＭビットを含み、Ｍビットが示す具体的な内容は、異なる。
【００６０】
任意選択で、いくつかの実施例において、第１のＤＭＲＳ構成情報がＤＭＲＳシーケンスがＰＮシーケンスであることを示す場合、第２のＤＭＲＳ構成情報は、例えば、表１に示されるように( Ｍの値が４であると仮定する)、ＤＭＲＳのアンテナポート構成及びＤＭＲＳのシーケンス構成を示し、第２のＤＭＲＳ構成情報は、ＤＭＲＳが使用するアンテナポート及びスクランブルシーケンスを示す。および/または、第１のＤＭＲＳ構成情報が、ＤＭＲＳシーケンスがＺＣシーケンスであることを示す場合、第２のＤＭＲＳ構成情報は、例えば、表２に示されるように、ＤＭＲＳのシーケンス構成を示し( Ｍの値が４であると仮定する)、第２のＤＭＲＳ構成情報は、ＤＭＲＳが使用されるシーケンス循環シフトおよび/またはＯＣＣを示す。
【００６１】
なお、表１に示す第２のＤＭＲＳ構成情報、アンテナポート、及びスクランブルシーケンスの対応関係は、ネットワークデバイスと端末デバイスとで予め約定されたのもであってもよい。ネットワークデバイスは、シグナリングを介して表１を端末デバイスに構成することもできる。そして、端末デバイスは、第２のＤＭＲＳ構成情報の値に応じて、ＤＭＲＳが占用するアンテナポート及びスクランブリングシーケンスを確定することができる。同様に、表２に示す第２のＤＭＲＳ構成情報、アンテナポート、及びシーケンス循環シフトの対応関係は、ネットワークデバイスと端末デバイスとが予め約定することができる。ネットワークデバイスは、シグナリングを介して表２を端末デバイスに構成した後、端末デバイスは、第２のＤＭＲＳ構成情報の値に応じてＤＭＲＳが採用するシーケンス循環シフトを確定することができる。
【表１】
2020516143.tif 000003
【表２】
2020516143.tif 000004
【００６２】
任意選択で、いくつかの他の実施例において、第１のＤＭＲＳ構成情報がＤＭＲＳシーケンスがＰＮシーケンスであることを示す場合、第２のＤＭＲＳ構成情報はＤＭＲＳの物理リソース構成を示す。例えば、第２のＤＭＲＳ構成情報は、ＤＭＲＳが占用するサブキャリアが奇数サブキャリアであるか偶数サブキャリアであるかを示し、又は、ＤＭＲＳが占用するＯＦＤＭシンボルの数を示す。あるいは、端末デバイスは、第１のＤＭＲＳ構成情報がＤＭＲＳシーケンスがＰＮシーケンスであることを示し、第２のＤＭＲＳ構成情報がＤＭＲＳが占用するアンテナポートを示す場合、ＤＭＲＳが占用するアンテナポートに応じてＤＭＲＳが占用する物理リソースを確定することができる。
【００６３】
任意選択で、いくつかの実施例において、第１のＤＭＲＳ構成情報が、ＤＭＲＳシーケンスがＺＣシーケンスであることを示す場合、第２のＤＭＲＳ構成情報は、ＤＭＲＳのシーケンス構成を示し、例えば、第２のＤＭＲＳ構成情報は、ＤＭＲＳが使用するシーケンス循環シフトおよび/またはルートシーケンスＩＤを示す。具体的には、ネットワークデバイスが予め端末デバイスに複数のルートシーケンスＩＤを構成しておき、端末デバイスが第２のＤＭＲＳ構成情報の指示に従って、複数のルートシーケンスＩＤの中から使用するルートシーケンスＩＤを選択するようにしてもよい。
【００６４】
上述した全ての実施例において、ネットワークデバイスは、高位レイヤシグナリングを介して端末デバイスに第１のＤＭＲＳ構成情報を送信し、または、ネットワークデバイスはＤＣＩを介して端末デバイスに第１のＤＭＲＳ構成情報を送信することができる。
【００６５】
上記のすべての実施例において、ネットワークデバイスは、端末デバイスに上りデータをスケジューリングするＤＣＩを送信し、ＤＣＩは、Ｎビット( Ｎは２以上の正の整数)のＤＭＲＳ構成情報を含み、Ｎビットのうちの１ビットは第１のＤＭＲＳ構成情報を搬送するのに用いられ、Ｎビットのうちの残りのＮ-１ビットは第２のＤＭＲＳ構成情報を搬送するのに用いられる。すなわち、第１のＤＭＲＳ構成情報及び第２のＤＭＲＳ構成情報は、１つのＤＣＩに搬送される。端末デバイスは、ＤＣＩの１ビットからＤＭＲＳシーケンスのタイプを確定し、例えば、１ビットの値が０でＰＮシーケンスを表し、１でＺＣシーケンスを表す。そして、端末デバイスは、ＤＭＲＳシーケンスのタイプによってＤＣＩのＮ-１ビットが示す情報を確定し、ＤＭＲＳが占用する物理リソース、アンテナポート、及びＤＭＲＳシーケンスを確定する。
【００６６】
例えば、端末デバイスは、ＤＭＲＳシーケンスがＰＮシーケンスである場合、Ｎ-１ビットの情報と表１からＤＭＲＳが占用するアンテナポートと使用するスクランブルシーケンスを確定し、その後、占用するアンテナポートからＤＭＲＳが占用する物理リソースを確定し、そのスクランブルシーケンスからＤＭＲＳシーケンスを生成する。あるいは、端末デバイスは、ＤＭＲＳシーケンスがＺＣシーケンスである場合、Ｎ-１ビットが示す情報と表２とからＤＭＲＳが占用するポート毎に使用するシーケンス循環シフトを確定し、確定したシーケンス循環シフトからＤＭＲＳシーケンスを生成し、ＤＭＲＳが伝送帯域幅内の全サブキャリア(占用するアンテナポート数に関わらず)を占用すると確定する。
【００６７】
以上、図１を参照して、本願の実施例による上り復調基準信号の伝送方法について、端末デバイス側から詳細に説明した。以下、図２を参照して、本願の実施例に係る上り復調基準信号の伝送方法について、ネットワークデバイス側から詳細に説明する。なお、ネットワークデバイス側で説明したネットワークデバイスと端末デバイスとのインタラクションについては、端末デバイス側で説明したものと同様であるため、重複を避けるため、説明を省略する。
【００６８】
図２は本願の他の実施例における上り復調基準信号の伝送方法を示し、図２に示すように、方法２００は、Ｓ２１０〜Ｓ２３０を含む。
【００６９】
Ｓ２１０において、ネットワークデバイスが第１の復調基準信号ＤＭＲＳ構成情報を生成し、前記第１のＤＭＲＳ構成情報は、ＤＭＲＳシーケンスのタイプを示し、
Ｓ２２０において、前記ネットワークデバイスが第２のＤＭＲＳ構成情報を生成し、前記第２のＤＭＲＳ構成情報は、ＤＭＲＳのアンテナポート構成、ＤＭＲＳの物理リソース構成、及びＤＭＲＳのシーケンス構成のうちの少なくとも１つ構成パラメータを示し、
Ｓ２３０において、前記ネットワークデバイスが端末デバイスに前記第１のＤＭＲＳ構成情報及び前記第２のＤＭＲＳ構成情報を送信する。
【００７０】
本願の上り復調基準信号の伝送方法によれば、ネットワークデバイスは、ＤＭＲＳシーケンスのタイプを示す第１のＤＭＲＳ構成情報及び多種の構成パラメータを示す第２のＤＭＲＳ構成情報を端末デバイスに送信する。これにより、端末デバイスは、第１のＤＭＲＳ構成情報と第２のＤＭＲＳ構成情報に基づいて各ＤＭＲＳシーケンスの伝送パラメータを確定することができるので、多種のＤＲＭＳシーケンスタイプに同時にサポートすることができ、異なる上り波形を用いる端末デバイス間、又は同一の上り波形を用いる端末デバイス間でのリソース多重に対応することができ、リソースの利用効率を向上させることができる。
【００７１】
本願の実施例において、任意選択で、前記第１の情報は、前記ＤＭＲＳシーケンスが擬似ランダムＰＮシーケンス又はＺＣシーケンスであることを示す。
【００７２】
本願の実施例において、任意選択で、前記ＤＭＲＳのアンテナポート構成は、前記ＤＭＲＳが占用するアンテナポート又は前記ＤＭＲＳが占用するアンテナポートの数を含む。
【００７３】
本願の実施例において、任意選択で、前記ＤＭＲＳの物理リソース構成は、前記ＤＭＲＳが占用する直交周波数分割多重ＯＦＤＭ符号の数、前記ＤＭＲＳが占用するサブキャリア、及び前記ＤＭＲＳの伝送パターンのうちの少なくとも１つを含む。
【００７４】
本願の実施例において、任意選択で、前記ＤＭＲＳのシーケンス構成は、前記ＤＭＲＳに使用するシーケンス循環シフト、前記ＤＭＲＳに使用する直交カバーコードＯＣＣ、前記ＤＭＲＳに使用するルートシーケンス識別子ＩＤ、及び前記ＤＭＲＳに使用するスクランブルシーケンスＩＤのうちの少なくとも１つを含む。
【００７５】
本願の実施例において、任意選択で、異なるタイプのＤＭＲＳシーケンスに対応する第２のＤＭＲＳ構成情報に含まれるビット数は、同じである。
【００７６】
本願の実施例において、任意選択で、異なるタイプのＤＭＲＳシーケンスに対応する第２のＤＭＲＳ構成情報が示す構成パラメータは、異なる。
【００７７】
本願の実施例において、任意選択で、前記第１のＤＭＲＳ構成情報は、前記ＤＭＲＳシーケンスがＰＮシーケンスであることを示す場合、前記第２のＤＭＲＳ構成情報は、前記ＤＭＲＳのアンテナポート構成及び前記ＤＭＲＳのシーケンス構成を示し、又は、
前記第１のＤＭＲＳ構成情報は、前記ＤＭＲＳシーケンスがＺＣシーケンスであることを示す場合、前記第２のＤＭＲＳ構成情報は、前記ＤＭＲＳのシーケンス構成を示す。
【００７８】
本願の実施例において、任意選択で、前記第１のＤＭＲＳ構成情報は、前記ＤＭＲＳシーケンスがＰＮシーケンスであることを示す場合、前記第２のＤＭＲＳ構成情報は、前記ＤＭＲＳの物理リソース構成を示し、及び／又は、
前記第１のＤＭＲＳ構成情報は、前記ＤＭＲＳシーケンスがＺＣシーケンスであることを示す場合、前記第２のＤＭＲＳ構成情報は、前記ＤＭＲＳのシーケンス構成を示す。
【００７９】
本願の実施例において、任意選択で、Ｓ２３０は、
前記ネットワークデバイスが前記端末デバイスに高位レイヤシグナリングを送信し、前記高位レイヤシグナリングに前記第１のＤＭＲＳ構成情報が含まれ、又は、
前記ネットワークデバイスが前記端末デバイスに下り制御情報ＤＣＩを送信し、前記ＤＣＩに前記第１のＤＭＲＳ構成情報が含まれることを含む。
【００８０】
本願の実施例において、任意選択で、Ｓ２３０において、前記ネットワークデバイスが前記端末デバイスにＤＣＩを送信し、前記ＤＣＩに前記第１のＤＭＲＳ構成情報及び前記第２のＤＭＲＳ構成情報が含まれる。
【００８１】
以上、図１〜図２を参照し、本願の実施例における上り復調基準信号の伝送方法を説明しており、以下、図３を参照し、本願の実施例における端末デバイスを説明し、図３に示すように、端末デバイス１０は、送受信モジュール１１及び処理モジュール１２を含み、
送受信モジュール１１は、ネットワークデバイスにより送信された第１の復調基準信号ＤＭＲＳ構成情報を受信するように構成され、前記第１のＤＭＲＳ構成情報は、ＤＭＲＳシーケンスのタイプを示し、
前記送受信モジュール１１は、さらに、前記ネットワークデバイスにより送信された第２のＤＭＲＳ構成情報を受信するように構成され、前記第２のＤＭＲＳ構成情報は、ＤＭＲＳのアンテナポート構成、ＤＭＲＳの物理リソース構成、及びＤＭＲＳのシーケンス構成のうちの少なくとも１つ構成パラメータを示し、
処理モジュール１２は、前記第１のＤＭＲＳ構成情報に基づいて、前記第２のＤＭＲＳ構成情報が示す構成パラメータを確定するように構成され、
前記処理モジュール１２は、さらに、前記第２のＤＭＲＳ構成情報に示す的構成パラメータに基づいて、ＤＭＲＳの伝送パラメータを確定するように構成され、
前記送受信モジュール１１は、さらに、前記伝送パラメータに基づいて前記ネットワークデバイスにＤＭＲＳを伝送するように構成される。
【００８２】
本願において、端末デバイスは、ＤＭＲＳシーケンスのタイプを示す第１のＤＭＲＳ構成情報に基づいてＤＭＲＳシーケンスのタイプを確定し、ＤＭＲＳシーケンスのタイプに基づいて第２のＤＭＲＳ構成情報が示す構成パラメータを確定し、確定した構成パラメータに基づいてＤＭＲＳの伝送パラメータを確定し、そして、ＤＭＲＳの伝送パラメータに基づいてＤＭＲＳを伝送する。これにより、端末デバイスは、第１のＤＭＲＳ構成情報と第２のＤＭＲＳ構成情報に基づいて各ＤＭＲＳシーケンスの伝送パラメータを確定することができるので、多種のＤＲＭＳシーケンスタイプに同時にサポートすることができる。
【００８３】
本願の実施例において、任意選択で、前記ＤＭＲＳの伝送パラメータは、前記ＤＭＲＳが占用するアンテナポート、前記ＤＭＲＳが占用する物理リソース、ＤＭＲＳシーケンス、及び前記ＤＭＲＳの送信電力のうちの少なくとも１つを含む。
【００８４】
本願の実施例において、任意選択で、前記第１のＤＭＲＳ情報は、前記ＤＭＲＳシーケンスが擬似ランダムＰＮシーケンス又はＺＣシーケンスであることを示す。
【００８５】
本願の実施例において、任意選択で、前記ＤＭＲＳのアンテナポート構成は、前記ＤＭＲＳが占用するアンテナポート又は前記ＤＭＲＳが占用するアンテナポートの数を含む。
【００８６】
本願の実施例において、任意選択で、前記処理モジュール１２は、
前記第２のＤＭＲＳ構成情報が前記ＤＭＲＳのアンテナポート構成を示すと確定する場合、前記ＤＭＲＳのアンテナポート構成に基づいて前記ＤＭＲＳが占用するアンテナポートを確定し、及び／又は、
前記第２のＤＭＲＳ構成情報が前記ＤＭＲＳのアンテナポート構成を示すと確定する場合、前記ＤＭＲＳのアンテナポート構成に基づいて前記ＤＭＲＳが占用する物理リソースを確定し、及び／又は、
前記第２のＤＭＲＳ構成情報が前記ＤＭＲＳのアンテナポート構成を示すと確定する場合、前記ＤＭＲＳのアンテナポート構成に基づいて前記ＤＭＲＳの送信電力を確定し、及び／又は、
前記第２のＤＭＲＳ構成情報が前記ＤＭＲＳのアンテナポート構成を示すと確定する場合、前記ＤＭＲＳのアンテナポート構成に基づいて前記ＤＭＲＳに使用するシーケンス循環シフト及び／又は直交カバーコードＯＣＣを確定し、
前記ＤＭＲＳに使用するシーケンス循環シフト及び／又はＯＣＣに基づいて、前記ＤＭＲＳシーケンスを生成するように構成される。
【００８７】
本願の実施例において、任意選択で、前記ＤＭＲＳの物理リソース構成は、前記ＤＭＲＳが占用する直交周波数分割多重ＯＦＤＭ符号の数、前記ＤＭＲＳが占用するサブキャリア、及び前記ＤＭＲＳの伝送パターンのうちの少なくとも１つを含む。
【００８８】
本願の実施例において、任意選択で、前記処理モジュール１２は、
前記第２のＤＭＲＳ構成情報が前記ＤＭＲＳの物理リソース構成を示すと確定する場合、前記ＤＭＲＳの物理リソース構成に基づいて前記ＤＭＲＳが占用する物理リソースを確定し、及び／又は、
前記第２のＤＭＲＳ構成情報が前記ＤＭＲＳの物理リソース構成を示すと確定する場合、前記ＤＭＲＳの物理リソース構成に基づいて前記ＤＭＲＳのシーケンスを確定し、及び／又は、
前記第２のＤＭＲＳ構成情報が前記ＤＭＲＳの物理リソース構成を示すと確定する場合、前記ＤＭＲＳの物理リソース構成に基づいて前記ＤＭＲＳの送信電力を確定し。
【００８９】
本願の実施例において、任意選択で、前記ＤＭＲＳのシーケンス構成は、前記ＤＭＲＳに使用するシーケンス循環シフト、前記ＤＭＲＳに使用するＯＣＣ、前記ＤＭＲＳに使用するルートシーケンス識別子ＩＤ、及び前記ＤＭＲＳに使用するスクランブルシーケンスＩＤのうちの少なくとも１つを含む。
【００９０】
本願の実施例において、任意選択で、前記処理モジュール１２は、前記第２のＤＭＲＳ構成情報が前記ＤＭＲＳにシーケンス構成を示すと確定する場合、前記ＤＭＲＳのシーケンス構成に基づいて、前記ＤＭＲＳシーケンスを生成するように構成される。
【００９１】
本願の実施例において、任意選択で、異なるタイプのＤＭＲＳシーケンスに対応する第２のＤＭＲＳ構成情報に含まれるビット数は、同じである。
【００９２】
本願の実施例において、任意選択で、異なるタイプのＤＭＲＳシーケンスに対応する第２のＤＭＲＳ構成情報が示す構成パラメータは、異なる。
【００９３】
本願の実施例において、任意選択で、前記処理モジュール１２は、
前記第１のＤＭＲＳ構成情報が前記ＤＭＲＳシーケンスがＰＮシーケンスであることを示すと確定する場合、前記第２のＤＭＲＳ構成情報が前記ＤＭＲＳのアンテナポート構成及び前記ＤＭＲＳのシーケンス構成を示すと確定し、及び／又は、
前記第１のＤＭＲＳ構成情報が前記ＤＭＲＳシーケンスがＺＣシーケンスであることを示すと確定する場合、前記第２のＤＭＲＳ構成情報が前記ＤＭＲＳのシーケンス構成を示すと確定するように構成される。
【００９４】
本願の実施例において、任意選択で、前記処理モジュール１２は、
前記第１のＤＭＲＳ構成情報が前記ＤＭＲＳシーケンスがＰＮシーケンスであることを示すと確定する場合、前記第２のＤＭＲＳ構成情報に前記ＤＭＲＳの物理リソース構成を示すと確定し、及び／又は、
前記第１のＤＭＲＳ構成情報が前記ＤＭＲＳシーケンスがＺＣシーケンスであることを示すと確定する場合、前記第２のＤＭＲＳ構成情報が前記ＤＭＲＳのシーケンス構成を示すと確定するように構成される。
【００９５】
本願の実施例において、任意選択で、前記送受信モジュール１１は、
前記ネットワークデバイスからの高位レイヤシグナリングを受信するように構成され、前記高位レイヤシグナリングに前記第１のＤＭＲＳ構成情報が含まれ、又は、
前記ネットワークデバイスからの下り制御情報ＤＣＩを受信するように構成され、前記ＤＣＩに前記第１のＤＭＲＳ構成情報が含まれる。
【００９６】
本願の実施例において、任意選択で、前記送受信モジュール１１は、
前記ネットワークデバイスにより送信されたＤＣＩを受信するように構成され、前記ＤＣＩに前記第１のＤＭＲＳ構成情報及び前記第２のＤＭＲＳ構成情報が含まれる。
【００９７】
本願の実施例に係る端末デバイスは、本願の実施例に対応する方法１００のプロセスに対応し、端末デバイスの各ユニット/モジュールおよび上記の他の動作および/または機能はそれぞれ、方法１００の対応するプロセスを実行する。簡潔にするために、ここで説明を省略する。
【００９８】
図４は本願の実施例におけるネットワークデバイスを示し、図４に示すように、ネットワークデバイス２０は、処理モジュール２１及び送受信モジュール２２を含み
処理モジュール２１は、第１の復調基準信号ＤＭＲＳ構成情報を生成するように構成され、前記第１のＤＭＲＳ構成情報は、ＤＭＲＳシーケンスのタイプを示し、
前記処理モジュール２１は、さらに、第２のＤＭＲＳ構成情報を生成するよう構成され、前記第２のＤＭＲＳ構成情報は、ＤＭＲＳのアンテナポート構成、ＤＭＲＳの物理リソース構成、及びＤＭＲＳのシーケンス構成のうちの少なくとも１つ構成パラメータを示し、
送受信モジュール２２は、端末デバイスに前記第１のＤＭＲＳ構成情報及び前記第２のＤＭＲＳ構成情報を送信するように構成される。
【００９９】
本願において、ネットワークデバイスは、ＤＭＲＳシーケンスのタイプを示す第１のＤＭＲＳ構成情報及び多種の構成パラメータを示す第２のＤＭＲＳ構成情報を端末デバイスに送信する。これにより、端末デバイスは、第１のＤＭＲＳ構成情報と第２のＤＭＲＳ構成情報に基づいて各ＤＭＲＳシーケンスの伝送パラメータを確定することができるので、多種のＤＲＭＳシーケンスタイプに同時にサポートすることができる。
【０１００】
本願の実施例において、任意選択で、前記第１の情報は、前記ＤＭＲＳシーケンスが擬似ランダムＰＮシーケンス又はＺＣシーケンスであることを示す。
【０１０１】
本願の実施例において、任意選択で、前記ＤＭＲＳのアンテナポート構成は、前記ＤＭＲＳが占用するアンテナポート又は前記ＤＭＲＳが占用するアンテナポートの数を含む。
【０１０２】
本願の実施例において、任意選択で、前記ＤＭＲＳの物理リソース構成は、前記ＤＭＲＳが占用する直交周波数分割多重ＯＦＤＭ符号の数、前記ＤＭＲＳが占用するサブキャリア、及び前記ＤＭＲＳの伝送パターンのうちの少なくとも１つを含む。
【０１０３】
本願の実施例において、任意選択で、前記ＤＭＲＳのシーケンス構成は、前記ＤＭＲＳに使用するシーケンス循環シフト、前記ＤＭＲＳに使用する直交カバーコードＯＣＣ、前記ＤＭＲＳに使用するルートシーケンス識別子ＩＤ、及び前記ＤＭＲＳに使用するスクランブルシーケンスＩＤのうちの少なくとも１つを含む。
【０１０４】
本願の実施例において、任意選択で、異なるタイプのＤＭＲＳシーケンスに対応する第２のＤＭＲＳ構成情報に含まれるビット数は、同じである。
【０１０５】
本願の実施例において、任意選択で、異なるタイプのＤＭＲＳシーケンスに対応する第２のＤＭＲＳ構成情報が示す構成パラメータは、異なる。
【０１０６】
本願の実施例において、任意選択で、前記第１のＤＭＲＳ構成情報は、前記ＤＭＲＳシーケンスがＰＮシーケンスであることを示す場合、前記第２のＤＭＲＳ構成情報は、前記ＤＭＲＳのアンテナポート構成及び前記ＤＭＲＳのシーケンス構成を示し、又は、
前記第１のＤＭＲＳ構成情報は、前記ＤＭＲＳシーケンスがＺＣシーケンスであることを示す場合、前記第２のＤＭＲＳ構成情報は、前記ＤＭＲＳのシーケンス構成を示す。
【０１０７】
本願の実施例において、任意選択で、前記第１のＤＭＲＳ構成情報は、前記ＤＭＲＳシーケンスがＰＮシーケンスであることを示す場合、前記第２のＤＭＲＳ構成情報は、前記ＤＭＲＳの物理リソース構成を示し、及び／又は、
前記第１のＤＭＲＳ構成情報は、前記ＤＭＲＳシーケンスがＺＣシーケンスであることを示す場合、前記第２のＤＭＲＳ構成情報は、前記ＤＭＲＳのシーケンス構成を示す。
【０１０８】
本願の実施例において、任意選択で、前記送受信モジュール２２は、
前記端末デバイスに高位レイヤシグナリングを送信し、前記高位レイヤシグナリングに前記第１のＤＭＲＳ構成情報が含まれ、又は、
前記端末デバイスに下り制御情報ＤＣＩを送信するように構成され、前記ＤＣＩに前記第１のＤＭＲＳ構成情報が含まれる。
【０１０９】
本願の実施例において、任意選択で、前記送受信モジュール２２は、前記端末デバイスにＤＣＩを送信するように構成され、前記ＤＣＩに前記第１のＤＭＲＳ構成情報及び前記第２のＤＭＲＳ構成情報が含まれる。
【０１１０】
本願の実施例に係るネットワークデバイスは、本願の実施例に対応する方法２００のプロセスに対応し、ネットワークデバイスの各ユニット/モジュールおよび上記の他の動作および/または機能はそれぞれ、方法２００の対応するプロセスを実行する。簡潔にするために、ここで説明を省略する。
【０１１１】
図５は、本願の他の実施例に係る端末デバイスを示す。図５に示すように、端末デバイス１００は、プロセッサ１１０と、プロセッサ１１０に接続された送受信機１２０とを含み、任意選択的に、ネットワークデバイス１００は、プロセッサ１１０に接続されたメモリ１３０とをさらに含む。プロセッサ１１０、メモリ１３０、及び送受信機１２０は、内部接続経路を介して互いに通信し得る。ここで、送受信機１２０は、ネットワークデバイスにより送信された第１の復調基準信号ＤＭＲＳ構成情報を受信すように構成され、前記第１のＤＭＲＳ構成情報は、ＤＭＲＳシーケンスのタイプを示し、前記送受信機１２０は、さらに、前記ネットワークデバイスにより送信された第２のＤＭＲＳ構成情報を受信するように構成され、前記第２のＤＭＲＳ構成情報は、ＤＭＲＳのアンテナポート構成、ＤＭＲＳの物理リソース構成、及びＤＭＲＳのシーケンス構成のうちの少なくとも１つ構成パラメータを示し、前記プロセッサ１１０は、前記第１のＤＭＲＳ構成情報に基づいて、前記第２のＤＭＲＳ構成情報が示す構成パラメータを確定し、前記プロセッサ１１０は、さらに、前記第２のＤＭＲＳ構成情報に示す的構成パラメータに基づいて、ＤＭＲＳの伝送パラメータを確定するように構成され、前記送受信機１２０は、さらに、前記伝送パラメータに基づいて前記ネットワークデバイスにＤＭＲＳを伝送するように構成される。
【０１１２】
本願において、端末デバイスは、ＤＭＲＳシーケンスのタイプを示す第１のＤＭＲＳ構成情報に基づいてＤＭＲＳシーケンスのタイプを確定し、ＤＭＲＳシーケンスのタイプに基づいて第２のＤＭＲＳ構成情報が示す構成パラメータを確定し、確定した構成パラメータに基づいてＤＭＲＳの伝送パラメータを確定し、そして、ＤＭＲＳの伝送パラメータに基づいてＤＭＲＳを伝送する。これにより、端末デバイスは、第１のＤＭＲＳ構成情報と第２のＤＭＲＳ構成情報に基づいて各ＤＭＲＳシーケンスの伝送パラメータを確定することができるので、多種のＤＲＭＳシーケンスタイプに同時にサポートすることができる。
【０１１３】
本願の実施例における端末デバイス１００は、本願の実施例における端末デバイス１０に対し、当該端末デバイスの各ユニット／モジュール及び操作及び／又は機能は、方法１００のプロセスを実現し、簡潔にするために、ここで説明を省略する。
【０１１４】
図６は、本願の他の実施例に係るネットワークデバイスを示す。図６に示すように、ネットワークデバイス２００は、プロセッサ２１０と、プロセッサ２２０に接続された送受信機２２０とを含み、任意選択的に、ネットワークデバイス２００は、プロセッサ２１０に接続されたメモリ２３０とをさらに含む。プロセッサ２１０、メモリ２３０、及び送受信機２２０は、内部接続経路を介して互いに通信し得る。ここで、前記プロセッサ２１０、第１の復調基準信号ＤＭＲＳ構成情報を生成するように構成され、前記第１のＤＭＲＳ構成情報は、ＤＭＲＳシーケンスのタイプを示し、前記プロセッサ２１０は、さらに、第２のＤＭＲＳ構成情報を生成するように構成され、前記第２のＤＭＲＳ構成情報は、ＤＭＲＳのアンテナポート構成、ＤＭＲＳの物理リソース構成、及びＤＭＲＳのシーケンス構成のうちの少なくとも１つ構成パラメータを示し、前記送受信機２１０は、端末デバイスに前記第１のＤＭＲＳ構成情報及び前記第２のＤＭＲＳ構成情報を送信するように構成される。
【０１１５】
本願において、ネットワークデバイスは、ＤＭＲＳシーケンスのタイプを示す第１のＤＭＲＳ構成情報及び多種の構成パラメータを示す第２のＤＭＲＳ構成情報を端末デバイスに送信する。これにより、端末デバイスは、第１のＤＭＲＳ構成情報と第２のＤＭＲＳ構成情報に基づいて各ＤＭＲＳシーケンスの伝送パラメータを確定することができるので、多種のＤＲＭＳシーケンスタイプに同時にサポートすることができる。
【０１１６】
本願の実施例におけるネットワークデバイス２００は、本願の実施例におけるネットワークデバイス２０に対し、当該ネットワークデバイスの各ユニット／モジュール及び操作及び／又は機能は、方法２００のプロセスを実現し、簡潔にするために、ここで説明を省略する。
【０１１７】
本願の実施例におけるプロセッサは、信号の処理能力を有する集積回路チップであり得ることが理解される。上記のプロセッサは、汎用プロセッサ、デジタル信号プロセッサ( Ｄｉｇｉｔａｌ Ｓｉｇｎａｌ Ｐｒｏｃｅｓｓｏｒ：ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ：ＡＳＩＣ )、プログラマブルゲートアレイ( Ｆｉｅｌｄ Ｐｒｏｇｒａｍｍａｂｌｅ Ｇａｔｅ Ａｒｒａｙ：ＦＰＧＡ )又は他のプログラマブル論理デバイス、ディスクリートゲート又はトランジスタロジック、ディスクリートハードウェアコンポーネントであってもよい。本出願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。
【０１１８】
本願の実施例におけるメモリは、揮発性メモリまたは不揮発性メモリのいずれであってもよく、揮発性メモリと不揮発性メモリの両方を含んでもよい。ここで、不揮発性メモリは、リードオンリーメモリ( Ｒｅａｄ−Ｏｎｌｙ Ｍｅｍｏｒｙ：ＲＯＭ )、プログラマブルリードオンリーメモリ( Ｐｒｏｇｒａｍｍａｂｌｅ ＲＯＭ：ＰＲＯＭ )、消去可能プログラマブルリードオンリーメモリ( Ｅｒａｓａｂｌｅ ＰＲＯＭ：ＥＰＲＯＭ )、電気的消去可能プログラマブルリードオンリーメモリ(Ｅｌｅｃｔｒｉｃａｌｌｙ ＥＰＲＯＭ：ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ：ＲＡＭ )であってよい。限定ではなく例として、ＲＡＭは、スタティックランダムアクセスメモリ( Ｓｔａｔｉｃ ＲＡＭ：ＳＲＡＭ )、ダイナミックランダムアクセスメモリ( Ｄｙｎａｍｉｃ ＲＡＭ：ＤＲＡＭ )、シンクロナスダイナミックランダムアクセスメモリ( Ｓｙｎｃｈｒｏｎｏｕｓ ＤＲＡＭ：ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ：ＤＤＲ ＳＤＲＡＭ )、エンハンスメント型シンクロナスダイナミックランダムアクセスメモリ( Ｅｎｈａｎｃｅｄ ＳＤＲＡＭ：ＥＳＤＲＡＭ )、シンクロナス接続ダイナミックランダムアクセスメモリ( Ｓｙｎｃｈｌｉｎｋ ＤＲＡＭ：ＳＬＤＲＡＭ )、及びダイレクトメモリバスランダムアクセスメモリ( Ｄｉｒｅｃｔ Ｒａｍｂｕｓ ＲＡＭ：ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１１９】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１２０】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１２１】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１２２】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１２３】
また、本願の各実施例における各機能部は、１つの処理部に集積されてもよいし、各部は、物理的に別個に存在してもよいし、２つ以上の部が１つの部に集積されてもよい。
【０１２４】
また、ソフトウェア的な機能単位で実現され、独立した製品として販売又は使用される場合には、コンピュータ読み取り可能な記録媒体に格納されてもよい。このような理解に基づいて、本願の技術的解決策の本質または従来技術に寄与する部分、または本願の技術的解決策の部分は、１つのコンピュータデバイス(パーソナルコンピュータ、サーバ、またはネットワークデバイスなどであり得る)に本願の様々な実施例に記載された方法のステップの全てまたは一部を実行させるための複数の命令を含む１つの記憶媒体に記憶されたソフトウェア製品の形態で具現化され得る。なお、前記記憶媒体としては、U字ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１２５】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。したがって、本願の保護範囲は、特許請求の範囲によって定義されるべきである。
【図１】
2020516143.tif 000005
【図２】
2020516143.tif 000006
【図３】
2020516143.tif 000007
【図４】
2020516143.tif 000008
【図５】
2020516143.tif 000009
【図６】
2020516143.tif 000010
【手続補正書】
【提出日】令和2年3月3日(2020.3.3)
【手続補正１】
【補正対象書類名】特許請求の範囲
【補正対象項目名】全文
【補正方法】変更
【補正の内容】
【特許請求の範囲】
【請求項１】
端末デバイスがネットワークデバイスにより送信された第１の復調基準信号ＤＭＲＳ構成情報を受信することと、
前記端末デバイスが前記ネットワークデバイスにより送信された第２のＤＭＲＳ構成情報を受信することと、
前記端末デバイスが前記第１のＤＭＲＳ構成情報に基づいて、前記第２のＤＭＲＳ構成情報が示す構成パラメータを確定することと、
前記端末デバイスが前記第２のＤＭＲＳ構成情報が示す構成パラメータに基づいて、ＤＭＲＳの伝送パラメータを確定することと、
前記端末デバイスが前記伝送パラメータに基づいて、前記ネットワークデバイスにＤＭＲＳを伝送することとを含み、
前記第１のＤＭＲＳ構成情報は、ＤＭＲＳシーケンスのタイプを示し、
前記第２のＤＭＲＳ構成情報は、ＤＭＲＳのアンテナポート構成、ＤＭＲＳの物理リソース構成、及びＤＭＲＳのシーケンス構成のうちの少なくとも１つ構成パラメータを示す
ことを特徴とする上り復調基準信号の伝送方法。
【請求項２】
前記ＤＭＲＳの伝送パラメータは、前記ＤＭＲＳが占用するアンテナポート、前記ＤＭＲＳが占用する物理リソース、ＤＭＲＳシーケンス、及び前記ＤＭＲＳの送信電力のうちの少なくとも１つを含む
ことを特徴とする請求項１に記載の上り復調基準信号の伝送方法。
【請求項３】
前記ＤＭＲＳのアンテナポート構成は、前記ＤＭＲＳが占用するアンテナポート又は前記ＤＭＲＳが占用するアンテナポートの数を含む
ことを特徴とする請求項１又は２に記載の上り復調基準信号の伝送方法。
【請求項４】
前記端末デバイスが前記第２のＤＭＲＳ構成情報が示す構成パラメータに基づいて、ＤＭＲＳの伝送パラメータを確定することは、
前記端末デバイスが前記第２のＤＭＲＳ構成情報が前記ＤＭＲＳのアンテナポート構成を示すと確定する場合、前記端末デバイスが前記ＤＭＲＳのアンテナポート構成に基づいて前記ＤＭＲＳが占用するアンテナポートを確定すること、及び／又は、
前記端末デバイスが前記第２のＤＭＲＳ構成情報が前記ＤＭＲＳのアンテナポート構成を示すと確定する場合、前記端末デバイスが前記ＤＭＲＳのアンテナポート構成に基づいて前記ＤＭＲＳが占用する物理リソースを確定すること、及び／又は、
前記端末デバイスが前記第２のＤＭＲＳ構成情報が前記ＤＭＲＳのアンテナポート構成を示すと確定する場合、前記端末デバイスが前記ＤＭＲＳのアンテナポート構成に基づいて前記ＤＭＲＳの送信電力を確定すること、及び／又は、
前記端末デバイスが前記第２のＤＭＲＳ構成情報が前記ＤＭＲＳのアンテナポート構成を示すと確定する場合、前記端末デバイスが前記ＤＭＲＳのアンテナポート構成に基づいて前記ＤＭＲＳに使用するシーケンス循環シフト及び／又は直交カバーコードＯＣＣを確定し、
前記端末デバイスが前記ＤＭＲＳに使用するシーケンス循環シフト及び／又はＯＣＣに基づいて、前記ＤＭＲＳシーケンスを生成することを含む
ことを特徴とする請求項１〜３のいずれか１項に記載の上り復調基準信号の伝送方法。
【請求項５】
前記ＤＭＲＳの物理リソース構成は、前記ＤＭＲＳが占用する直交周波数分割多重ＯＦＤＭ符号の数、前記ＤＭＲＳが占用するサブキャリア、及び前記ＤＭＲＳの伝送パターンのうちの少なくとも１つを含む
ことを特徴とする請求項１〜３のいずれか１項に記載の上り復調基準信号の伝送方法。
【請求項６】
前記端末デバイスが前記第２のＤＭＲＳ構成情報が示す構成パラメータに基づいて、ＤＭＲＳの伝送パラメータを確定することは、
前記端末デバイスが前記第２のＤＭＲＳ構成情報が前記ＤＭＲＳの物理リソース構成を示すと確定する場合、前記端末デバイスが前記ＤＭＲＳの物理リソース構成に基づいて、  前記ＤＭＲＳが占用する物理リソースを確定すること、及び／又は、
前記端末デバイスが前記第２のＤＭＲＳ構成情報が前記ＤＭＲＳの物理リソース構成を示すと確定する場合、前記端末デバイスが前記ＤＭＲＳの物理リソース構成に基づいて、  前記ＤＭＲＳのシーケンスを確定すること、及び／又は、
前記端末デバイスが前記第２のＤＭＲＳ構成情報が前記ＤＭＲＳの物理リソース構成を示すと確定する場合、前記端末デバイスが前記ＤＭＲＳの物理リソース構成に基づいて、前記ＤＭＲＳの送信電力を確定することを含む
ことを特徴とする請求項１〜５のいずれか１項に記載の上り復調基準信号の伝送方法。
【請求項７】
前記ＤＭＲＳのシーケンス構成は、前記ＤＭＲＳに使用するシーケンス循環シフト、前記ＤＭＲＳに使用するＯＣＣ、前記ＤＭＲＳに使用するルートシーケンス識別子ＩＤ、及び前記ＤＭＲＳに使用するスクランブルシーケンスＩＤのうちの少なくとも１つを含む
ことを特徴とする請求項１〜３のいずれか１項に記載の上り復調基準信号の伝送方法。
【請求項８】
前記端末デバイスがネットワークデバイスにより送信された第１の復調基準信号ＤＭＲＳ構成情報を受信することは、
前記端末デバイスが前記ネットワークデバイスからの高位レイヤシグナリングを受信すること、又は、
前記端末デバイスが前記ネットワークデバイスからの下り制御情報ＤＣＩを受信することを含み、
前記高位レイヤシグナリングに前記第１のＤＭＲＳ構成情報が含まれ、
前記ＤＣＩに前記第１のＤＭＲＳ構成情報が含まれる
ことを特徴とする請求項１〜７のいずれか１項に記載の上り復調基準信号の伝送方法。
【請求項９】
ネットワークデバイスが第１の復調基準信号ＤＭＲＳ構成情報を生成することと、
前記ネットワークデバイスが第２のＤＭＲＳ構成情報を生成することと、
前記ネットワークデバイスが端末デバイスに前記第１のＤＭＲＳ構成情報及び前記第２のＤＭＲＳ構成情報を送信することとを含み、
前記第１のＤＭＲＳ構成情報は、ＤＭＲＳシーケンスのタイプを示し、
前記第２のＤＭＲＳ構成情報は、ＤＭＲＳのアンテナポート構成、ＤＭＲＳの物理リソース構成、及びＤＭＲＳのシーケンス構成のうちの少なくとも１つ構成パラメータを示す
ことを特徴とする上り復調基準信号の伝送方法。
【請求項１０】
前記ＤＭＲＳのアンテナポート構成は、前記ＤＭＲＳが占用するアンテナポート又は前記ＤＭＲＳが占用するアンテナポートの数を含む
ことを特徴とする請求項９に記載の上り復調基準信号の伝送方法。
【請求項１１】
前記ＤＭＲＳの物理リソース構成は、前記ＤＭＲＳが占用する直交周波数分割多重ＯＦＤＭ符号の数、前記ＤＭＲＳが占用するサブキャリア、及び前記ＤＭＲＳの伝送パターンのうちの少なくとも１つを含む
ことを特徴とする請求項９又は１０に記載の上り復調基準信号の伝送方法。
【請求項１２】
前記ＤＭＲＳのシーケンス構成は、前記ＤＭＲＳに使用するシーケンス循環シフト、前記ＤＭＲＳに使用する直交カバーコードＯＣＣ、前記ＤＭＲＳに使用するルートシーケンス識別子ＩＤ、及び前記ＤＭＲＳに使用するスクランブルシーケンスＩＤのうちの少なくとも１つを含む
ことを特徴とする請求項９〜１１のいずれか１項に記載の上り復調基準信号の伝送方法。
【請求項１３】
ネットワークデバイスにより送信された第１の復調基準信号ＤＭＲＳ構成情報を受信するように構成される送受信モジュールと、
前記第１のＤＭＲＳ構成情報に基づいて、第２のＤＭＲＳ構成情報が示す構成パラメータを確定するように構成される処理モジュールとを含み、
前記第１のＤＭＲＳ構成情報は、ＤＭＲＳシーケンスのタイプを示し、
前記送受信モジュールは、さらに、前記ネットワークデバイスにより送信された第２のＤＭＲＳ構成情報を受信するように構成され、
前記第２のＤＭＲＳ構成情報は、ＤＭＲＳのアンテナポート構成、ＤＭＲＳの物理リソース構成、及びＤＭＲＳのシーケンス構成のうちの少なくとも１つ構成パラメータを示し、
前記処理モジュールは、さらに、前記第２のＤＭＲＳ構成情報に示す的構成パラメータに基づいて、ＤＭＲＳの伝送パラメータを確定するように構成され、
前記送受信モジュールは、さらに、前記伝送パラメータに基づいて前記ネットワークデバイスにＤＭＲＳを伝送するように構成される
ことを特徴とする端末デバイス。
【請求項１４】
前記ＤＭＲＳの伝送パラメータは、前記ＤＭＲＳが占用するアンテナポート、前記ＤＭＲＳが占用する物理リソース、ＤＭＲＳシーケンス、及び前記ＤＭＲＳの送信電力のうちの少なくとも１つを含む
ことを特徴とする請求項１３に記載の端末デバイス。
【請求項１５】
前記ＤＭＲＳのアンテナポート構成は、前記ＤＭＲＳが占用するアンテナポート又は前記ＤＭＲＳが占用するアンテナポートの数を含む
ことを特徴とする請求項１３又は１４に記載の端末デバイス。
【請求項１６】
前記処理モジュールは、
前記第２のＤＭＲＳ構成情報が前記ＤＭＲＳのアンテナポート構成を示すと確定する場合、前記ＤＭＲＳのアンテナポート構成に基づいて前記ＤＭＲＳが占用するアンテナポートを確定し、及び／又は、
前記第２のＤＭＲＳ構成情報が前記ＤＭＲＳのアンテナポート構成を示すと確定する場合、前記ＤＭＲＳのアンテナポート構成に基づいて前記ＤＭＲＳが占用する物理リソースを確定し、及び／又は、
前記第２のＤＭＲＳ構成情報が前記ＤＭＲＳのアンテナポート構成を示すと確定する場合、前記ＤＭＲＳのアンテナポート構成に基づいて前記ＤＭＲＳの送信電力を確定し、及び／又は、
前記第２のＤＭＲＳ構成情報が前記ＤＭＲＳのアンテナポート構成を示すと確定する場合、前記ＤＭＲＳのアンテナポート構成に基づいて前記ＤＭＲＳに使用するシーケンス循環シフト及び／又は直交カバーコードＯＣＣを確定し、
前記ＤＭＲＳに使用するシーケンス循環シフト及び／又はＯＣＣに基づいて、前記ＤＭＲＳシーケンスを生成するように構成される
ことを特徴とする請求項１３〜１５のいずれか１項に記載の端末デバイス。
【請求項１７】
前記ＤＭＲＳの物理リソース構成は、前記ＤＭＲＳが占用する直交周波数分割多重ＯＦＤＭ符号の数、前記ＤＭＲＳが占用するサブキャリア、及び前記ＤＭＲＳの伝送パターンのうちの少なくとも１つを含む
ことを特徴とする請求項１３〜１５のいずれか１項に記載の端末デバイス。
【請求項１８】
前記処理モジュールは、
前記第２のＤＭＲＳ構成情報が前記ＤＭＲＳの物理リソース構成を示すと確定する場合、前記ＤＭＲＳの物理リソース構成に基づいて前記ＤＭＲＳが占用する物理リソースを確定し、及び／又は、
前記第２のＤＭＲＳ構成情報が前記ＤＭＲＳの物理リソース構成を示すと確定する場合、前記ＤＭＲＳの物理リソース構成に基づいて前記ＤＭＲＳのシーケンスを確定し、及び／又は、
前記第２のＤＭＲＳ構成情報が前記ＤＭＲＳの物理リソース構成を示すと確定する場合、前記ＤＭＲＳの物理リソース構成に基づいて前記ＤＭＲＳの送信電力を確定するように構成される
ことを特徴とする請求項１３〜１７のいずれか１項に記載の端末デバイス。
【請求項１９】
前記ＤＭＲＳのシーケンス構成は、前記ＤＭＲＳに使用するシーケンス循環シフト、前記ＤＭＲＳに使用するＯＣＣ、前記ＤＭＲＳに使用するルートシーケンス識別子ＩＤ、及び前記ＤＭＲＳに使用するスクランブルシーケンスＩＤのうちの少なくとも１つを含む
ことを特徴とする請求項１３〜１５のいずれか１項に記載の端末デバイス。
【請求項２０】
前記送受信モジュールは、
前記ネットワークデバイスからの高位レイヤシグナリングを受信し、又は、  
前記ネットワークデバイスからの下り制御情報ＤＣＩを受信するように構成され、
前記高位レイヤシグナリングに前記第１のＤＭＲＳ構成情報が含まれ、
前記ＤＣＩに前記第１のＤＭＲＳ構成情報が含まれる
ことを特徴とする請求項１３〜１９のいずれか１項に記載の端末デバイス。
【国際調査報告】
2020516143.tif 000011
2020516143.tif 000012
2020516143.tif 000013
2020516143.tif 000014